(57)【特許請求の範囲】
【請求項１】
ユーザ機器(UE)であって、
互いに独立している少なくとも2つの無線資源管理(RRM)測定手順の、基地局によって送信される構成情報を受信するように構成された受信機と、
互いに独立している前記少なくとも2つのRRM測定手順を使用することによって1つのキャリアにおいてRRM測定を実行し、少なくとも2つのRRM測定結果を取得するように構成されたプロセッサと、
前記基地局に前記RRM測定結果を報告するように構成された送信機と
を含み、
各RRM測定手順の前記構成情報は、測定時間領域情報のグループおよび対応する測定パラメータ情報を含み、
前記受信機は、
前記基地局によって送信される、測定時間領域情報の少なくとも2つのグループおよび測定時間領域情報の各グループに対応する測定パラメータ情報を受信するようにさらに構成され、
測定時間領域情報の前記少なくとも2つのグループは、
前記基地局によって各キャリアについて構成される少なくとも2つの測定ギャップであって、各測定ギャップが、測定時間領域情報のグループである、少なくとも2つの測定ギャップを含む、UE。
【請求項２】
ユーザ機器(UE)であって、
互いに独立している少なくとも2つの無線資源管理(RRM)測定手順の、基地局によって送信される構成情報を受信するように構成された受信機と、
互いに独立している前記少なくとも2つのRRM測定手順を使用することによって1つのキャリアにおいてRRM測定を実行し、少なくとも2つのRRM測定結果を取得するように構成されたプロセッサと、
前記基地局に前記RRM測定結果を報告するように構成された送信機と
を含み、
各RRM測定手順の前記構成情報は、測定時間領域情報のグループおよび対応する測定パラメータ情報を含み、
前記受信機は、
前記基地局によって送信される、測定時間領域情報の少なくとも2つのグループおよび測定時間領域情報の各グループに対応する測定パラメータ情報を受信するようにさらに構成され、
測定時間領域情報の前記少なくとも2つのグループは、
前記基地局によって測定ギャップから分割される少なくとも2つのサブギャップであって、各サブギャップが、測定時間領域情報のグループである、少なくとも2つのサブギャップを含む、UE。
【請求項３】
前記送信機が、
前記基地局に少なくとも2つの前記RRM測定結果を別々に報告すること、または
少なくとも2つの前記RRM測定結果から1つのRRM測定結果を選択し、前記基地局に前記1つのRRM測定結果を報告すること、または
前記基地局に少なくとも2つの前記RRM測定結果の組合せを報告すること
を行うようにさらに構成される、請求項1または2に記載のUE。
【請求項４】
前記送信機が、
前記基地局に少なくとも2つの前記RRM測定結果の重み付け平均を報告するようにさらに構成される、請求項3に記載のUE。
【請求項５】
前記測定パラメータ情報が、測定され得るセルのリストを含み、
前記送信機が、
測定され得るセルの前記リストに属するセルの、測定によって取得される前記RRM測定結果の中の、あるRRM測定結果のみを前記基地局に報告するようにさらに構成される、請求項1から4のいずれか一項に記載のUE。
【請求項６】
前記測定パラメータ情報が、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む、請求項1から4のいずれか一項に記載のUE。
【請求項７】
互いに独立している少なくとも2つの無線資源管理(RRM)測定手順を1つのキャリアについて構成するように構成されたプロセッサであって、各RRM測定手順の構成情報が、測定時間領域情報のグループおよび対応する測定パラメータ情報を含む、プロセッサと、
互いに独立している前記少なくとも2つのRRM測定手順の前記構成情報をユーザ機器(UE)に送信するように構成された送信機と、
前記UEによって報告されるRRM測定結果を受信するように構成された受信機と
を含み、
前記プロセッサは、
隣接基地局によって送信される発見参照信号に従って各キャリアについて測定時間領域情報の少なくとも2つのグループを構成し、測定時間領域情報の各グループについて対応する測定パラメータ情報を構成するようにさらに構成され、
前記プロセッサは、
各キャリアについて少なくとも2つの測定ギャップを構成し、各測定ギャップを測定時間領域情報のグループとして使用することを行うようにさらに構成される、基地局。
【請求項８】
互いに独立している少なくとも2つの無線資源管理(RRM)測定手順を1つのキャリアについて構成するように構成されたプロセッサであって、各RRM測定手順の構成情報が、測定時間領域情報のグループおよび対応する測定パラメータ情報を含む、プロセッサと、
互いに独立している前記少なくとも2つのRRM測定手順の前記構成情報をユーザ機器(UE)に送信するように構成された送信機と、
前記UEによって報告されるRRM測定結果を受信するように構成された受信機と
を含み、
前記プロセッサは、
隣接基地局によって送信される発見参照信号に従って各キャリアについて測定時間領域情報の少なくとも2つのグループを構成し、測定時間領域情報の各グループについて対応する測定パラメータ情報を構成するようにさらに構成され、
前記プロセッサは、
少なくとも2つのサブギャップを測定ギャップから分割し、各サブギャップを測定時間領域情報のグループとして使用することを行うようにさらに構成される、基地局。
【請求項９】
前記受信機が、
前記UEによって別々に報告される少なくとも2つの前記RRM測定結果を受信すること、または
前記UEによって少なくとも2つの前記RRM測定結果から選択されるいくつかのRRM測定結果を受信すること、または
前記UEによって少なくとも2つの前記RRM測定結果を組み合わせることによって取得されるRRM測定結果を受信すること
を行うようにさらに構成される、請求項7または8に記載の基地局。
【請求項１０】
前記受信機が、
前記UEによって少なくとも2つの前記RRM測定結果に重み付け平均化を行うことによって取得されるRRM測定結果を受信するようにさらに構成される、請求項9に記載の基地局。
【請求項１１】
前記測定パラメータ情報が、測定され得るセルのリストを含み、
前記受信機が、
測定され得るセルの前記リストに属するセルの、測定によって取得される前記RRM測定結果の中の、あるRRM測定結果を受信することであって、前記UEが、前記あるRRM測定結果のみを報告する、受信することを行うようにさらに構成される、請求項7から10のいずれか一項に記載の基地局。
【請求項１２】
前記構成情報が、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む、請求項7から10のいずれか一項に記載の基地局。
【請求項１３】
隣接セル測定方法であって、
ユーザ機器(UE)により、互いに独立している少なくとも2つの無線資源管理(RRM)測定手順の、基地局によって送信される構成情報を受信するステップと、
前記UEにより、互いに独立している前記少なくとも2つのRRM測定手順を使用することによって1つのキャリアにおいてRRM測定を実行し、少なくとも2つのRRM測定結果を取得するステップと、
前記UEにより、前記基地局に前記RRM測定結果を報告するステップと
を含み、
各RRM測定手順の前記構成情報は、測定時間領域情報のグループおよび対応する測定パラメータ情報を含み、
UEにより、互いに独立している少なくとも2つのRRM測定手順の、基地局によって送信される構成情報を受信する前記ステップは、
前記UEにより、前記基地局によって送信される、測定時間領域情報の少なくとも2つのグループおよび測定時間領域情報の各グループに対応する測定パラメータ情報を受信するステップを含み、
測定時間領域情報の前記少なくとも2つのグループは、
前記基地局によって各キャリアについて構成される少なくとも2つの測定ギャップであって、各測定ギャップが、測定時間領域情報のグループである、少なくとも2つの測定ギャップを含む、方法。
【請求項１４】
隣接セル測定方法であって、
ユーザ機器(UE)により、互いに独立している少なくとも2つの無線資源管理(RRM)測定手順の、基地局によって送信される構成情報を受信するステップと、
前記UEにより、互いに独立している前記少なくとも2つのRRM測定手順を使用することによって1つのキャリアにおいてRRM測定を実行し、少なくとも2つのRRM測定結果を取得するステップと、
前記UEにより、前記基地局に前記RRM測定結果を報告するステップと
を含み、
各RRM測定手順の前記構成情報は、測定時間領域情報のグループおよび対応する測定パラメータ情報を含み、
UEにより、互いに独立している少なくとも2つのRRM測定手順の、基地局によって送信される構成情報を受信する前記ステップは、
前記UEにより、前記基地局によって送信される、測定時間領域情報の少なくとも2つのグループおよび測定時間領域情報の各グループに対応する測定パラメータ情報を受信するステップを含み、
測定時間領域情報の前記少なくとも2つのグループは、
前記基地局によって測定ギャップから分割される少なくとも2つのサブギャップであって、各サブギャップが、測定時間領域情報のグループである、少なくとも2つのサブギャップを含む、方法。
【請求項１５】
前記UEにより、前記基地局に前記RRM測定結果を報告する前記ステップが、
前記UEにより、前記基地局に少なくとも2つの前記RRM測定結果を別々に報告するステップ、または
前記UEにより、少なくとも2つの前記RRM測定結果から1つのRRM測定結果を選択し、前記基地局に前記1つのRRM測定結果を報告するステップ、または
前記UEにより、前記基地局に少なくとも2つの前記RRM測定結果の組合せを報告するステップ
を含む、請求項13または14に記載の方法。
【請求項１６】
前記測定パラメータ情報が、測定され得るセルのリストを含み、
前記UEにより、前記基地局に前記RRM測定結果を報告する前記ステップが、
前記UEにより、測定され得るセルの前記リストに属するセルの、測定によって取得される前記RRM測定結果の中の、あるRRM測定結果のみを前記基地局に報告するステップを含む、請求項13から15のいずれか一項に記載の方法。
【請求項１７】
前記測定パラメータ情報が、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む、請求項13から15のいずれか一項に記載の方法。
【発明の詳細な説明】
【技術分野】
【０００１】
本発明は、通信技術に関し、詳細には、隣接セル測定方法およびデバイスに関する。
【背景技術】
【０００２】
ワイヤレス通信システムにおいては、ネットワークは、多くのセル(Cell)に分割される。一般に、1つのセルの中に1つの基地局がある。ユーザ機器(User Equipment、略してUE)は、1つ(または複数)の基地局への接続を確立する。UEが移動すると、UEは、あるセルから離れ、別のセルに入ることができる。そのため、UEは、元の基地局との接続を解除し、新しく到着したセルの基地局との接続を確立し、新しく到着したセルの基地局にサービスを求める。このプロセスは、ハンドオーバ(handover)と称される。ハンドオーバの前に、UEは、まず、現在、接続されているセルの他に近傍に他のセルがあるかどうか、およびこれらのセルの信号品質がどのような状態であるかを決定する必要がある。信号品質が現在接続されているセルのものよりも優れている別のセルが近傍にある場合、または別のハンドオーバ条件が満たされる場合、ネットワークは、ハンドオーバ手順を開始して、より適切なセルにUEをハンドオーバする。この場合においては、UEは、近傍のセルに関して「セルの発見および測定」を行う必要がある。本明細書における測定は、近傍のセルの信号強度を測定することを意味する。LTEにおいては、隣接セル測定についての測定基準(metric)は、一般に、参照信号受信電力(Reference Signal Received Power、略してRSRP)、および参照信号受信品質(Reference Signal Received Quality、略してRSRQ)を含む。これらの2つの測定基準はともに、ターゲットセルの信号品質を反映することができる。ロングタームエボリューション(Long Term Evolution、略してLTE)ネットワークにおいては、そのような測定は、無線資源管理(Radio Resource Management、略してRRM)測定とも称される。現在の通信システムにおいては、UEは、主に、近傍の基地局によって送信されるセル固有参照信号(cell specific reference signal、略してCRS)に従って、測定を行う。
【０００３】
通信技術およびネットワーク技術の進展に伴い、一部の基地局は、連続的にCRSを送信するのではなく、間隔を置いて周期的にCRSを送信し得る。加えて、基地局は、UEがRRM測定を行うために、チャネル状態情報参照信号(channel state information-reference signal、CSI-RS)、または発見参照信号(Discovery reference signal、略してDRS)など、CRSを除く参照信号を使用し得る。たとえば、ニューキャリアタイプ(New Carrier Type、略してNCT)技術、またはスモールセル技術などをサポートする基地局は、従来技術方法による隣接セルのRRM測定を行うことはできない。
【発明の概要】
【課題を解決するための手段】
【０００４】
本発明の諸実施態様は、RRM測定のための参照信号が連続的に送信されないネットワークにおいて隣接セルの発見および測定を実現する隣接セル測定方法およびデバイスを提供する。
【０００５】
第1の態様によれば、本発明の実施態様は、ユーザ機器UEを提供し、このUEは、
互いに独立している少なくとも2つの無線資源管理RRM測定手順の、基地局によって送信される構成情報を受信するように構成された受信モジュールであって、RRM測定手順が、測定予定の隣接セルに関する情報に従って基地局によって構成される、受信モジュールと、
互いに独立している少なくとも2つのRRM測定手順を使用することによって1つのキャリアにおいてRRM測定を実行し、少なくとも2つのRRM測定結果を取得するように構成された測定モジュールと、
基地局にRRM測定結果を報告するように構成された送信モジュールとを含む。
【０００６】
第1の態様の第1の可能な実装方式においては、各RRM測定手順の構成情報は、測定時間領域情報のグループおよび対応する測定パラメータ情報を含み、
受信モジュールは、具体的には、
基地局によって送信される、測定時間領域情報の少なくとも2つのグループおよび測定時間領域情報の各グループに対応する測定パラメータ情報を受信するように構成されている。
【０００７】
第1の態様の第1の可能な実装方式によれば、第2の可能な実装方式においては、測定時間領域情報の少なくとも2つのグループは、
基地局によって各キャリアについて構成される測定サブフレームの少なくとも2つのセットであって、測定サブフレームの各セットが、測定時間領域情報のグループである、測定サブフレームの少なくとも2つのセット、または
基地局によって各キャリアについて構成される測定サブフレームのセットから分割される少なくとも2つのサブセットであって、各サブセットが、測定時間領域情報のグループである、少なくとも2つのサブセット、または
基地局によって各キャリアについて構成される少なくとも2つの測定ギャップであって、各測定ギャップが、測定時間領域情報のグループである、少なくとも2つの測定ギャップ、または
基地局によって測定ギャップから分割される少なくとも2つのサブギャップであって、各サブギャップが、測定時間領域情報のグループである、少なくとも2つのサブギャップを含む。
【０００８】
第1の態様、または第1の態様の第1もしくは第2の可能な実装方式によれば、第3の可能な実装方式においては、送信モジュールは、具体的には、
基地局に少なくとも2つのRRM測定結果を別々に報告すること、または
少なくとも2つのRRM測定結果から1つのRRM測定結果を選択し、基地局にそのRRM測定結果を報告すること、または
基地局に少なくとも2つのRRM測定結果の組合せを報告することを行うように構成されている。
【０００９】
第1の態様の第3の可能な実装方式によれば、第4の可能な実装方式においては、送信モジュールは、具体的には、
基地局に少なくとも2つのRRM測定結果の重み付け平均を報告するように構成されている。
【００１０】
第1の態様の第1から第4の可能な実装方式のうちのいずれか1つによれば、第5の可能な実装方式においては、測定パラメータ情報は、測定され得るセルのリストを含み、
送信モジュールは、具体的には、
測定され得るセルのリストに属するセルの、測定によって取得されるRRM測定結果の中の、あるRRM測定結果のみをUEによって基地局に報告するように構成されている。
【００１１】
第1の態様の第1から第4の可能な実装方式のうちのいずれか1つによれば、第6の可能な実装方式においては、測定パラメータ情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【００１２】
第2の態様によれば、本発明の実施態様は、基地局を提供し、この基地局は、
互いに独立している少なくとも2つの無線資源管理RRM測定手順を1つのキャリアについて構成するように構成された構成モジュールであって、各RRM測定手順の構成情報が、測定時間領域情報のグループおよび対応する測定パラメータ情報を含む、構成モジュールと、
互いに独立している少なくとも2つのRRM測定手順の構成情報をユーザ機器UEに送信するように構成された送信モジュールであって、それにより、UEが、互いに独立している少なくとも2つの無線資源管理RRM測定手順を使用して、各キャリアにおいてRRM測定を実行するようになる、送信モジュールと、
UEによって報告されるRRM測定結果を受信するように構成された受信モジュールとを含む。
【００１３】
第2の態様の第1の可能な実装方式においては、構成モジュールは、具体的には、
隣接基地局によって送信される発見参照信号に従って各キャリアについて測定時間領域情報の少なくとも2つのグループを構成し、測定時間領域情報の各グループについて対応する測定パラメータ情報を構成するように構成されている。
【００１４】
第2の態様の第1の可能な実装方式によれば、第2の可能な実装方式においては、構成モジュールは、具体的には、
各キャリアについて測定サブフレームの少なくとも2つのセットを構成し、測定サブフレームの各セットを測定時間領域情報のグループとして使用すること、または
少なくとも2つのサブセットを測定サブフレームのセットから分割し、各サブセットを測定時間領域情報のグループとして使用すること、または
各キャリアについて少なくとも2つの測定ギャップを構成し、各測定ギャップを測定時間領域情報のグループとして使用すること、または
少なくとも2つのサブギャップを測定ギャップから分割し、各サブギャップを測定時間領域情報のグループとして使用することを行うように構成されている。
【００１５】
第2の態様、または第2の態様の第1もしくは第2の可能な実装方式によれば、第3の可能な実装方式においては、受信モジュールは、具体的には、
UEによって別々に報告される少なくとも2つのRRM測定結果を受信すること、または
UEによって少なくとも2つのRRM測定結果から選択されるいくつかのRRM測定結果を受信すること、または
UEによって少なくとも2つのRRM測定結果を組み合わせることによって取得されるRRM測定結果を受信することを行うように構成されている。
【００１６】
第2の態様の第3の可能な実装方式によれば、第4の可能な実装方式においては、受信モジュールは、具体的には、
UEによって少なくとも2つのRRM測定結果に重み付け平均化を行うことによって取得されるRRM測定結果を受信するように構成されている。
【００１７】
第2の態様、または第2の態様の第1から第4の可能な実装方式のうちのいずれか1つによれば、第5の可能な実装方式においては、測定パラメータ情報は、測定され得るセルのリストを含み、
受信モジュールは、具体的には、
測定され得るセルのリストに属するセルの、測定によって取得されるRRM測定結果の中の、あるRRM測定結果を受信することであって、UEが、そのRRM測定結果のみを報告する、受信することを行うように構成されている。
【００１８】
第2の態様、または第2の態様の第1から第4の可能な実装方式のうちのいずれか1つによれば、第6の可能な実装方式においては、構成情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【００１９】
第3の態様によれば、本発明の実施態様は、ユーザ機器UEを提供し、このUEは、
互いに独立している少なくとも2つの無線資源管理RRM測定手順の、基地局によって送信される構成情報を受信するように構成された受信機であって、RRM測定手順が、測定予定の隣接セルに関する情報に従って基地局によって構成される、受信機と、
互いに独立している少なくとも2つのRRM測定手順を使用することによって1つのキャリアにおいてRRM測定を実行し、少なくとも2つのRRM測定結果を取得するように構成されたプロセッサと、
基地局にRRM測定結果を報告するように構成された送信機とを含む。
【００２０】
第3の態様の第1の可能な実装方式においては、各RRM測定手順の構成情報は、測定時間領域情報のグループおよび対応する測定パラメータ情報を含み、
受信機は、具体的には、
基地局によって送信される、測定時間領域情報の少なくとも2つのグループおよび測定時間領域情報の各グループに対応する測定パラメータ情報を受信するように構成されている。
【００２１】
第3の態様の第1の可能な実装方式によれば、第2の可能な実装方式においては、測定時間領域情報の少なくとも2つのグループは、
基地局によって各キャリアについて構成される測定サブフレームの少なくとも2つのセットであって、測定サブフレームの各セットが、測定時間領域情報のグループである、測定サブフレームの少なくとも2つのセット、または
基地局によって各キャリアについて構成される測定サブフレームのセットから分割される少なくとも2つのサブセットであって、各サブセットが、測定時間領域情報のグループである、少なくとも2つのサブセット、または
基地局によって各キャリアについて構成される少なくとも2つの測定ギャップであって、各測定ギャップが、測定時間領域情報のグループである、少なくとも2つの測定ギャップ、または
基地局によって測定ギャップから分割される少なくとも2つのサブギャップであって、各サブギャップが、測定時間領域情報のグループである、少なくとも2つのサブギャップを含む。
【００２２】
第3の態様、または第3の態様の第1または第2の可能な実装方式によれば、第3の可能な実装方式においては、送信機は、具体的には
基地局に少なくとも2つのRRM測定結果を別々に報告すること、または
少なくとも2つのRRM測定結果から1つのRRM測定結果を選択し、基地局にそのRRM測定結果を報告すること、または
基地局に少なくとも2つのRRM測定結果の組合せを報告することを行うように構成されている。
【００２３】
第3の態様の第3の可能な実装方式によれば、第4の可能な実装方式においては、送信機は、具体的には、
基地局に少なくとも2つのRRM測定結果の重み付け平均を報告するように構成されている。
【００２４】
第3の態様の第1から第4の可能な実装方式のうちのいずれか1つによれば、第5の可能な実装方式においては、測定パラメータ情報は、測定され得るセルのリストを含み、
送信機は、具体的には、
測定され得るセルのリストに属するセルの、測定によって取得されるRRM測定結果の中の、あるRRM測定結果のみをUEによって基地局に報告するように構成されている。
【００２５】
第3の態様の第1から第4の可能な実装方式のうちのいずれか1つによれば、第6の可能な実装方式においては、測定パラメータ情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【００２６】
第4の態様によれば、本発明の実施態様は、基地局を提供し、この基地局は、
互いに独立している少なくとも2つの無線資源管理RRM測定手順を1つのキャリアについて構成するように構成されたプロセッサであって、各RRM測定手順の構成情報が、測定時間領域情報のグループおよび対応する測定パラメータ情報を含む、プロセッサと、
互いに独立している少なくとも2つのRRM測定手順の構成情報をユーザ機器UEに送信するように構成された送信機であって、それにより、UEが、互いに独立している少なくとも2つの無線資源管理RRM測定手順を使用して、各キャリアにおいてRRM測定を実行するようになる、送信機と、
UEによって報告されるRRM測定結果を受信するように構成された受信機とを含む。
【００２７】
第4の態様の第1の可能な実装方式においては、プロセッサは、具体的には、
隣接基地局によって送信される発見参照信号に従って各キャリアについて測定時間領域情報の少なくとも2つのグループを構成し、測定時間領域情報の各グループについて対応する測定パラメータ情報を構成するように構成されている。
【００２８】
第4の態様の第1の可能な実装方式によれば、第2の可能な実装方式においては、プロセッサは、具体的には、
各キャリアについて測定サブフレームの少なくとも2つのセットを構成し、測定サブフレームの各セットを測定時間領域情報のグループとして使用すること、または
少なくとも2つのサブセットを測定サブフレームのセットから分割し、各サブセットを測定時間領域情報のグループとして使用すること、または
各キャリアについて少なくとも2つの測定ギャップを構成し、各測定ギャップを測定時間領域情報のグループとして使用すること、または
少なくとも2つのサブギャップを測定ギャップから分割し、各サブギャップを測定時間領域情報のグループとして使用することを行うように構成されている。
【００２９】
第4の態様、または第4の態様の第1もしくは第2の可能な実装方式によれば、第3の可能な実装方式においては、受信機は、具体的には、
UEによって別々に報告される少なくとも2つのRRM測定結果を受信すること、または
UEによって少なくとも2つのRRM測定結果から選択されるいくつかのRRM測定結果を受信すること、または
UEによって少なくとも2つのRRM測定結果を組み合わせることによって取得されるRRM測定結果を受信することを行うように構成されている。
【００３０】
第4の態様の第3の可能な実装方式によれば、第4の可能な実装方式においては、受信機は、具体的には、
UEによって少なくとも2つのRRM測定結果に重み付け平均化を行うことによって取得されるRRM測定結果を受信するように構成されている。
【００３１】
第4の態様、または第4の態様の第1もしくは第4の可能な実装方式のうちのいずれか1つによれば、第5の可能な実装方式においては、測定パラメータ情報は、測定され得るセルのリストを含み、
受信機は、具体的には、
測定され得るセルのリストに属するセルの、測定によって取得されるRRM測定結果の中の、あるRRM測定結果を受信することであって、UEが、そのRRM測定結果のみを報告する、受信することを行うように構成されている。
【００３２】
第4の態様、または第4の態様の第1から第4の可能な実装方式のうちのいずれか1つによれば、第6の可能な実装方式においては、構成情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【００３３】
第5の態様によれば、本発明の実施態様は、隣接セル測定方法を提供し、この方法は、
ユーザ機器UEにより、互いに独立している少なくとも2つの無線資源管理RRM測定手順の、基地局によって送信される構成情報を受信するステップであって、RRM測定手順が、測定予定の隣接セルに関する情報に従って基地局によって構成される、ステップと、
UEにより、互いに独立している少なくとも2つのRRM測定手順を使用することによって1つのキャリアにおいてRRM測定を実行し、少なくとも2つのRRM測定結果を取得するステップと、
UEにより、基地局にRRM測定結果を報告するステップとを含む。
【００３４】
第5の態様の第1の可能な実装方式においては、各RRM測定手順の構成情報は、測定時間領域情報のグループおよび対応する測定パラメータ情報を含み、
UEにより、互いに独立している少なくとも2つのRRM測定手順の、基地局によって送信される構成情報を受信するステップは、
UEにより、基地局によって送信される、測定時間領域情報の少なくとも2つのグループおよび測定時間領域情報の各グループに対応する測定パラメータ情報を受信するステップを含む。
【００３５】
第5の態様の第1の可能な実装方式によれば、第2の可能な実装方式においては、測定時間領域情報の少なくとも2つのグループは、
基地局によって各キャリアについて構成される測定サブフレームの少なくとも2つのセットであって、測定サブフレームの各セットが、測定時間領域情報のグループである、測定サブフレームの少なくとも2つのセット、または
基地局によって各キャリアについて構成される測定サブフレームのセットから分割される少なくとも2つのサブセットであって、各サブセットが、測定時間領域情報のグループである、少なくとも2つのサブセット、または
基地局によって各キャリアについて構成される少なくとも2つの測定ギャップであって、各測定ギャップが、測定時間領域情報のグループである、少なくとも2つの測定ギャップ、または
基地局によって測定ギャップから分割される少なくとも2つのサブギャップであって、各サブギャップが、測定時間領域情報のグループである、少なくとも2つのサブギャップを含む。
【００３６】
第5の態様、または第5の態様の第1もしくは第2の可能な実装方式によれば、第3の可能な実装方式においては、UEにより、基地局にRRM測定結果を報告するステップは、
UEにより、基地局に少なくとも2つのRRM測定結果を別々に報告するステップ、または
UEにより、少なくとも2つのRRM測定結果から1つのRRM測定結果を選択し、基地局にそのRRM測定結果を報告するステップ、または
UEにより、基地局に少なくとも2つのRRM測定結果の組合せを報告するステップを含む。
【００３７】
第5の態様の第3の可能な実装方式によれば、第4の可能な実装方式においては、UEにより、基地局に少なくとも2つのRRM測定結果の組合せを報告するステップは、
UEにより、基地局に少なくとも2つのRRM測定結果の重み付け平均を報告するステップを含む。
【００３８】
第5の態様の第1から第4の可能な実装方式のうちのいずれか1つによれば、第5の可能な実装方式においては、測定パラメータ情報は、測定され得るセルのリストを含み、
UEにより、基地局にRRM測定結果を報告するステップは、
測定され得るセルのリストに属するセルの、測定によって取得されるRRM測定結果の中の、あるRRM測定結果のみを基地局に報告するステップを含む。
【００３９】
第5の態様の第1から第4の可能な実装方式のうちのいずれか1つによれば、第6の可能な実装方式においては、測定パラメータ情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【００４０】
第6の態様によれば、本発明の実施態様は、アクセスネットワークオフロード方法を提供し、この方法は、
基地局により、互いに独立している少なくとも2つの無線資源管理RRM測定手順を1つのキャリアについて構成するステップであって、各RRM測定手順の構成情報が、測定時間領域情報のグループおよび対応する測定パラメータ情報を含む、ステップと、
基地局により、互いに独立している少なくとも2つのRRM測定手順の構成情報をユーザ機器UEに送信するステップであって、それにより、UEが、互いに独立している少なくとも2つの無線資源管理RRM測定手順を使用して、各キャリアにおいてRRM測定を実行するようになる、ステップと、
基地局により、UEによって報告されるRRM測定結果を受信するステップとを含む。
【００４１】
第6の態様の第1の可能な実装方式においては、基地局により、互いに独立している少なくとも2つの無線資源管理RRM測定手順を1つのキャリアについて構成するステップは、
基地局により、隣接基地局によって送信される発見参照信号に従って各キャリアについて測定時間領域情報の少なくとも2つのグループを構成し、測定時間領域情報の各グループについて対応する測定パラメータ情報を構成するステップを含む。
【００４２】
第6の態様の第1の可能な実装方式によれば、第2の可能な実装方式においては、基地局により、隣接基地局によって送信される発見参照信号に従って各キャリアについて測定時間領域情報の少なくとも2つのグループを構成するステップは、
基地局により、各キャリアについて測定サブフレームの少なくとも2つのセットを構成し、測定サブフレームの各セットを測定時間領域情報のグループとして使用するステップ、または
少なくとも2つのサブセットを測定サブフレームのセットから分割し、各サブセットを測定時間領域情報のグループとして使用するステップ、または
基地局により、各キャリアについて少なくとも2つの測定ギャップを構成し、各測定ギャップを測定時間領域情報のグループとして使用するステップ、または
少なくとも2つのサブギャップを測定ギャップから分割し、各サブギャップを測定時間領域情報のグループとして使用するステップを含む。
【００４３】
第6の態様、または第6の態様の第1もしくは第2の可能な実装方式によれば、第3の可能な実装方式においては、基地局により、UEによって報告されるRRM測定結果を受信するステップは、
基地局により、UEによって別々に報告される少なくとも2つのRRM測定結果を受信するステップ、または
基地局により、UEによって少なくとも2つのRRM測定結果から選択されるいくつかのRRM測定結果を受信するステップ、または
基地局により、UEによって少なくとも2つのRRM測定結果を組み合わせることによって取得されるRRM測定結果を受信するステップを含む。
【００４４】
第6の態様の第3の可能な実装方式によれば、第4の可能な実装方式においては、基地局により、UEによって少なくとも2つのRRM測定結果を組み合わせることによって取得されるRRM測定結果を受信するステップは、
基地局により、UEによって少なくとも2つのRRM測定結果に重み付け平均化を行うことによって取得されるRRM測定結果を受信するステップを含む。
【００４５】
第6の態様、または第6の態様の第1から第4の可能な実装方式のうちのいずれか1つによれば、第5の可能な実装方式においては、測定パラメータ情報は、測定され得るセルのリストを含み、
基地局により、UEによって報告されるRRM測定結果を受信するステップは、
基地局により、測定され得るセルのリストに属するセルの、測定によって取得されるRRM測定結果の中の、あるRRM測定結果を受信するステップであって、UEが、そのRRM測定結果のみを報告する、ステップを含む。
【００４６】
第6の態様、または第6の態様の第1から第4の可能な実装方式のうちのいずれか1つによれば、第6の可能な実装方式においては、構成情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【００４７】
本発明の諸実施態様において提供される隣接セル測定方法およびデバイスによれば、基地局は、互いに独立している少なくとも2つの無線資源管理RRM測定手順を1つのキャリアについて構成し、各RRM測定手順の構成情報は、測定時間領域情報のグループおよび対応する測定パラメータ情報を含み、基地局は、互いに独立している少なくとも2つのRRM測定手順の構成情報をUEに送信し、それにより、UEは、互いに独立している少なくとも2つの無線資源管理RRM測定手順を使用して、各キャリアにおいてRRM測定を行うようになり、次いで、基地局は、UEによって報告されるRRM測定結果を受信する。互いに独立している少なくとも2つRRM測定手順は、種々の隣接セルに関して構成され得、そのため、少なくとも2つのRRM測定手順の中の少なくとも1つのRRM測定手順に対応する測定時間領域情報が、測定予定の隣接セルによって送信される、RRM測定のための参照信号の時間領域情報に一致し、さらには、RRM測定のための参照信号が連続的に送信されない隣接セルが、隣接セル発見および隣接セル測定の正確な結果を取得するようにするために測定可能である。
【図面の簡単な説明】
【００４８】
【図１】本発明によるUEの第1の実施形態の概略構造図である。
【図２ａ】発見参照信号を送信する3つのスモールセルおよびUEの測定時間領域情報の概略図である。
【図２ｂ】発見参照信号を送信する3つのスモールセルおよびUEの測定時間領域情報の概略図である。
【図３】本発明による基地局の第1の実施形態の概略構造図である。
【図４】本発明によるUEの第2の実施形態の概略構造図である。
【図５】本発明による基地局の第2の実施形態の概略構造図である。
【図６】本発明による隣接セル測定方法の第1の実施形態の流れ図である。
【図７】本発明による隣接セル測定方法の第2の実施形態の流れ図である。
【図８】本発明による隣接セル測定方法の第3の実施形態の相互作用流れ図である。
【発明を実施するための形態】
【００４９】
本発明の諸実施形態の目的、技術的解決策、および利点をより明らかにするために、以下では、本発明の諸実施形態における添付の図面を参照して、本発明の諸実施形態における技術的解決策について明瞭にかつ十分に説明する。当然ながら、説明される諸実施形態が、本発明の諸実施形態の一部であって、すべてというわけではない。本発明の諸実施形態に基づき、創造的な取り組みなしに当業者によって取得されるすべての他の実施形態は、本発明の保護範囲内に入るものとする。
【００５０】
UEは、主には基地局によって送信されるCRSを検出することによって、隣接セル発見および隣接セル測定を完了する。本発明の諸実施形態は、基地局が、CRS、CSI-RS、またはDRSなどの、RRM測定のための参照信号をもはや連続的に送信しないという新規通信技術のシナリオに関して、隣接セル測定および隣接セル発見のための方法を提供する。ニューキャリアタイプNCTは、基地局が、RRM測定のための参照信号をもはや連続的に送信しないというシナリオの例である。ニューキャリアタイプにおいては、CRSによってもたらされるネットワーク干渉およびエネルギー消費を低減させるために、CRSは、連続的に送信されるのではなく、間隔を置いて周期的にのみ送信される。たとえば、10連続サブフレームごとに、CRSは、第1のサブフレームおよび第6のサブフレームにおいてしか送信されない。別の例が、スモールセルオン/オフ技術(small cell on/off)であり、ここでは、スモールセルオン/オフは、スモールセルネットワークについて意味付けられている。従来のLTEワイヤレスネットワークは、マクロセル基地局を含む。マクロセル基地局は、共通のタワー形の基地局である。これらの基地局は、相対的に高く設置され、送信電力が高く、そのため、通常、相対的に広いエリアをカバーし、多数のユーザにサービス提供することができる。しかしながら、都市の開発に伴い、マクロセル基地局の連続的な展開は、多くの課題、たとえば、用地選択の難しさ、および密度を高めるための窮状に直面している。そのため、スモールセルまたはマイクロセルが、当業界において導入されている。スモールセルは、低送信電力および設置の容易さを特徴とし、一般には、それほど高くには設置されない。そのため、スモールセルは、通常、非常に小さい範囲をカバーし、相対的に少数のユーザにサービス提供する。そのようなスモールセルまたはマイクロセルは、人口の密集した住宅または商業地域に特に適している。たとえば、ショッピングセンターにおいては、複数のスモールセルがUEにサービス提供するために配備され得る。電気の消費および干渉を低減させるために、サービス提供を受ける必要があるユーザが一人もいない場合には、スモールセルは、オフにされ得、ユーザがスモールセルの近隣に来るとき、スモールセルは、再度、オンにされる。これが、スモールセルオン/オフ技術である。オフ状態スモールセルは、すべての送信を停止するわけではない。そうではなく、スモールセルは、ダウンリンク参照信号(発見参照信号、discovery reference signal、略してDRSとも称される)を固有の間隔を置いて送信し、それにより、UEは、これらのオフ状態スモールセルを発見することができる。UEはまた、これらのスモールセルの参照信号の受信された信号品質を測定し、測定結果をネットワーク側に報告する必要がある。このようにして、一旦、これらのスモールセルがオンになると、ネットワーク側は、UEをこれらのスモールセルに迅速にハンドオーバすることができる。しかしながら、DRSが周期的にしか送信されないという理由から、RRM測定は、DRSを使用することによる従来技術方法により行うことはできない。本発明の諸実施形態は、対応する測定方法およびデバイスを提供することができる。
【００５１】
図1は、本発明によるUEの第1の実施形態の概略構造図である。図1に示されているように、この実施形態におけるUE100は、
互いに独立している少なくとも2つの無線資源管理RRM測定手順の、基地局によって送信される構成情報を受信するように構成された受信モジュール101であって、RRM測定手順が、測定予定の隣接セルに関する情報に従って基地局によって構成される、受信モジュール101と、
互いに独立している少なくとも2つのRRM測定手順を使用することによって1つのキャリアにおいてRRM測定を行い、少なくとも2つのRRM測定結果を取得するように構成された測定モジュール102と、
基地局にRRM測定結果を報告するように構成された送信モジュール103とを含み得る。
【００５２】
さらにおよび具体的には、各RRM測定手順の構成情報は、測定時間領域情報のグループおよび対応する測定パラメータ情報を含み、
受信モジュール101は、具体的には、基地局によって送信される、測定時間領域情報の少なくとも2つのグループおよび測定時間領域情報の各グループに対応する測定パラメータ情報を受信するように構成されている。
【００５３】
既存のRRM測定プロセスにおいては、基地局は、通常は、あるキャリアについて1つのRRM測定手順しか構成しない。つまり、各キャリアは、測定時間領域情報の1つのグループおよび測定時間領域情報のそのグループに対応する測定パラメータ情報に対応している。以下においては、従来技術のRRMでは実行不可能な隣接セル測定を、いかにしてこの実施形態におけるUEが行うのかについて説明するための例として、スモールセルネットワークが使用される。ネットワーク上に、第1のスモールセル、第2のスモールセル、および第3のスモールセルである3つのスモールセルがあると仮定される。図2aは、参照信号を送信する3つのスモールセルおよびUEの測定時間領域情報の概略図である。図2aにおいては、横軸は、時間軸を表し、3つのスモールセルの時間軸の中の灰色のブロックは、信号送信が行われるサブフレームを表す。図2aに示されているように、第1のスモールセルおよび第2のスモールセルは、オフ状態にあり、周期的にいくつかのDRSを送信するだけであるが、第3のスモールセルは、オン状態にあり、連続的にアップリンク信号送信を行う。(図2aに示されている例においては、第1のスモールセルおよび第2のスモールセルは、同じ間隔を置いてDRSを送信し、同じサブフレームにおいてDRSを送信する。しかしながら、実際のネットワーク上では、種々のオフ状態のスモールセルが、種々の間隔を置いてDRSを送信し得る)。従来技術を使用することによって、セルの測定および発見が行われる場合、基地局は、UE向けに、測定時間領域情報として、測定サブフレームのグループ、たとえば、図2aの中の従来技術の測定サブフレーム(実線によって表されている)を構成して、UEに、測定サブフレームのこのグループにおけるRRM測定を行わせる。そのため、UEは、第3のスモールセルのDRSを測定することはできるが、第2のスモールセルまたは第1のスモールセルのDRSを測定することはできない場合がある。具体的には、測定サブフレームのこのグループが、第1のスモールセルがDRSを送信する間隔と、第2のスモールセルがDRSを送信する間隔との両方に一致するときのみ、第2のスモールセルによって送信されるDRSは、測定可能である。測定サブフレームのこのグループが、第2のスモールセルがDRSを送信する間隔に一致しない場合には、第2のスモールセルは、測定不可能である。測定サブフレームのこのグループが、第1のスモールセルがDRSを送信する間隔に一致しない場合には、第1のスモールセルは、測定不可能である。オフ状態の第1のスモールセルおよびオフ状態の第2のスモールセルが、DRSを送信する間隔は、異なっている場合がある。実際には、測定サブフレームのこのグループが、第1のスモールセルがDRSを送信する間隔と、第2のスモールセルがDRSを送信する間隔との両方に一致する可能性は、きわめて低い。そのため、従来技術のRRM測定による測定結果における平均化およびフィルタリングは、測定結果のずれを引き起こす。
【００５４】
しかしながら、この実施形態におけるUEの場合、受信モジュール101は、測定時間領域情報の少なくとも2つのグループ(たとえば、図2aにおいては、実線によって表されたサブフレームのあるグループ、および破線によって表されたサブフレームのあるグループ)、ならびに測定時間領域情報の各グループに対応する測定パラメータ情報を受信する。測定時間領域情報の各グループは、1つのスモールセルがDRSを送信する間隔に一致するように、種々の測定時間領域情報が、種々のスモールセルに関して構成され得る。図2aに示されているように、第3のスモールセルのDRSは、実線によって表されたサブフレームにおいて測定可能であり、第1のスモールセルおよび第2のスモールセルのDRSは、破線によって表されたサブフレームにおいて測定可能である。加えて、測定モジュール102は、互いに独立している少なくとも2つのRRM測定手順を使用することによって1つのキャリアにおいてRRM測定を行い、少なくとも2つのRRM測定結果を取得する。つまり、独立したRRM測定が、種々のスモールセルに関して行われ得る。そのため、DRSが連続的に送信されない隣接セルが、隣接セル発見および隣接セル測定の正確な結果を取得するようにするために測定可能である。
【００５５】
具体的には、ワイヤード接続が、基地局間で使用されるという理由から、ここでは、そのようなワイヤード接続は、バックホールと称される。基地局は、バックホールを用いて、互いと通信し得る。このようにして、DRS送信が可能な基地局は、バックホールを用いて、UEのサービング基地局に、DRSが送信されるサブフレームに関する情報について通知し得、サービング基地局は、サブフレーム情報に従って、対応する測定時間領域情報を構成し得る。図2aに示されている例においては、サービング基地局は、第1のスモールセルおよび第2のスモールセルがDRSを送信するサブフレームのセットとして、測定時間領域情報の第2のグループ、つまり、図2aの第2の時間軸上の破線ブロックを構成し得る。
【００５６】
図2bは、参照信号を送信する3つのスモールセルおよびUEの測定時間領域情報の概略図である。図2bにおいては、横軸は、時間軸を表し、3つのスモールセルの時間軸の中の灰色のブロックは、信号送信が行われるサブフレームを表す。図2bに示されているように、第1のスモールセルおよび第2のスモールセルは、オフ状態にあり、周期的にいくつかのDRSを送信するだけであるが、第3のスモールセルは、オン状態にあり、連続的にアップリンク信号送信を行う。図2aと異なって、図2bにおいては、オフ状態の第1のスモールセルおよびオフ状態の第2のスモールセルは、DRSを相異なる時点で送信する。この利点は、第1のスモールセルおよび第2のスモールセルが、同時にDRSを送信するときに生じる相互干渉が低減可能であることである。つまり、オフ状態のセルが、異なる時間にDRSをすべてのセルに送信するとき、相対的に干渉が低い。RRM測定の場合、基地局は、前述の3つのセルの隣接セル測定の正確性を確保するために、UE向けにRRM測定手順の少なくとも3つのグループを構成する必要がある。図2bの第2の時間軸上に示されているように、実線ブロック、破線ブロック、および影付きブロックはそれぞれ、3つのRRM測定手順に対応する測定サブフレームの3つのセットを表す。
【００５７】
さらには、測定時間領域情報の少なくとも2つのグループは、以下の4つの方式のうちのいずれかにあり得る。
【００５８】
方式1.  基地局は、各キャリアについて測定サブフレームの少なくとも2つのセットを構成し、測定サブフレームの各セットは、測定時間領域情報のグループである。
【００５９】
具体的には、基地局は、各キャリアについて測定サブフレームの1つのセットmeasSubframePatternConfigを構成する。この実施形態においては、基地局は、各キャリアについて測定サブフレームの複数のセットを構成し得、たとえば、各キャリアについて、測定サブフレームの2つのセット、すなわち、measSubframePatternConfig1およびmeasSubframePatternConfig2を構成する。加えて、measSubframePatternConfig1は、測定時間領域情報の第1のグループ、つまり、図2aの第2の時間軸上の実線ブロックとして使用され、measSubframePatternConfig2は、測定時間領域情報の第2のグループ、つまり、図2aの第2の時間軸上の破線ブロックとして使用される。
【００６０】
この方式が使用されるとき、時間領域情報の第1のグループおよび時間領域情報の第2のグループを示すための方式は、それぞれの固定間隔に従って特定していることができ、サブフレームは、それぞれの固定間隔を置いた測定サブフレームである。たとえば、measSubframePatternConfig1は、1010101010とすることができ、それは、10サブフレームが1つの間隔であり、かつサブフレーム1、3、5、7、および9が、測定サブフレーム、つまり、図2aの第2の時間軸上の実線ブロックであることを表す。measSubframePatternConfig2は、00000000000000000001とすることができ、それは、20サブフレームが1つの間隔であり、かつ20サブフレームごとに最後のサブフレームが、測定サブフレーム、つまり、図2aの第2の時間軸上の破線ブロックであることを表す。
【００６１】
方式2.  基地局は、少なくとも2つのサブセットを各キャリアについて構成される測定サブフレームのセットから分割し、各サブセットは、測定時間領域情報のグループである。
【００６２】
具体的には、たとえば、基地局は、所与のキャリアについて、測定サブフレームのセットを1010101010と構成し得、それは、10サブフレームが1つの間隔であり、サブフレーム1、3、5、7、および9が、測定向けのサブフレーム(つまり、文字列1010101010の中の1によって表されたサブフレーム)であり、かつ残りのサブフレームは、測定向けではないことを表す。この実施形態においては、基地局は、さらには、UEにシグナリングを送達することができ、ここでは、シグナリングは、たとえば、サブフレーム9を含むサブセットが、測定時間領域情報の第2のグループ、つまり、図2aの第2の時間軸上の破線ブロックとして使用されること、ならびに残りのサブフレーム1、3、5、および7を含むサブセットが、測定時間領域情報の第1のグループ、つまり、図2aの第2の時間軸上の実線ブロックとして使用されることを示す「measSubframeSubset」である。代替としては、UEに、基地局によって送信されるサブフレーム構成は、1010101020とすることができ、ここでは、0は、測定が行われないサブフレームを表し、1は、第1の測定時間領域情報に属するサブフレームを表し、2は、第2の測定時間領域情報に属するサブフレームを表す。
【００６３】
方式3.  基地局は、少なくとも2つの測定ギャップを各キャリアについて構成し、各測定ギャップは、測定時間領域情報のグループである。具体的には、基地局は、各キャリアについて1つの測定ギャップを構成し、そのため、UEは、ギャップの中の指定されたサブフレームにおいてのみ測定を行うことができる。この実施形態においては、基地局は、UE向けに複数の測定ギャップを構成し得、具体的には、測定ギャップ構成(Measurement gap configuration)パラメータを使用することによって構成を行うことができる。このパラメータは、周波数間測定に関してセットされる。UEは、複数のキャリアについてRRM測定を行う必要があり、UEそれ自体もまた、所与のキャリアにおいて働く(つまり、UEは、所与のキャリアにおけるサービングセルに接続される)。UEによって測定されるキャリアが、現在の働いているキャリアと同じである場合、測定は、周波数内測定と称される。UEによって測定されるキャリアが、現在のキャリアとは異なる場合、測定は、周波数間測定と称される。周波数間測定を行うとき、UEは、通常は、元のキャリアにおける仕事を中断する必要があり、次いで、別のキャリアから信号を受信し、測定を行う。本明細書においては、中断の時間が、ギャップである。LTEにおいては、ギャップは、周期的に生じ、たとえば、40msまたは80msごとに1つのギャップがあること、および各ギャップの時間長さが6msであることが規定され得る。測定ギャップ構成パラメータは、ギャップの間隔および固有の場所をセットするのに使用される。
【００６４】
たとえば、ギャップ1およびギャップ2が構成され、ここでは、ギャップ1およびギャップ2は、サブフレームの2つの独立したセットを表し、各ギャップは、測定時間領域情報のグループとして使用される。ギャップ1およびギャップ2の間隔、オフセット、および持続時間は、すべて異なっていてよい。とは言え、一部は、同じであってよい。たとえば、ギャップ1の間隔は、40msとすることができ、一方、ギャップ2の間隔は、80msとすることができる(または480msとさえすることができる)。ギャップ1の持続時間は、6連続サブフレームとすることができ、一方、ギャップ2の持続時間は、20連続サブフレームとすることができる。この場合においては、基地局は、UEに、UEに対する各ギャップに対応する間隔、オフセット、および持続時間を送信する必要がある。
【００６５】
方式4.  基地局は、少なくとも2つのサブギャップ(sub-gap)と測定ギャップによって示されるサブフレームを分割し、各サブギャップは、測定時間領域情報のグループである。
【００６６】
具体的には、ギャップは、6サブフレームが、40または80サブフレームごとに1つのギャップとしてセットされるようにセットされ得る。たとえば、間隔は、40サブフレームにセットされ得、ギャップによって示される測定サブフレームの第1のグループは、サブフレーム1から6であり、測定サブフレームの第2のグループは、サブフレーム41〜46であり、測定サブフレームの第3のグループは、81〜86である。この実施形態においては、ギャップの測定サブフレームの5つのグループごとに第1のグループ、つまりサブフレーム1から6が、第2の測定時間領域情報であり、かつ残りの測定サブフレームが、時間領域情報の第1のグループであることがセットされ得る。
【００６７】
さらには、この実施形態においては、各キャリアに関するRRM測定手順の構成情報は、測定時間領域情報のグループおよび対応する測定パラメータ情報を含む。測定時間領域情報の各グループに対応する測定パラメータ情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータ、またはCRSアンテナポート1が存在するかどうか、のうちの少なくとも1つを含む。
【００６８】
以下に、構成パラメータについて詳述する。
【００６９】
測定帯域幅(許容される測定帯域幅):  測定帯域幅は、帯域幅がどのくらいRRM測定に使用されるかを表す。たとえば、測定帯域幅は、あるRRM測定手順について15の物理資源ブロック(Physical Resource Block、略してPRB)にセットされ得、測定帯域幅は、別のRRM測定手順について50のPRBにセットされ得る。
【００７０】
測定帯域幅をセットする意義は、UEが、近傍のセルによって送信されるダウンリンク参照信号を使用することによってRRM測定を行うことにあり、ここでは、近傍のセルによって送信される信号は、通常は、たとえば、20MHz帯域幅を使用する相対的に大きい帯域幅を占有するが、UEによって行われる測定は、通常は、全帯域幅のアップリンク参照信号を使用する必要はない。そのため、測定を完了するのにUEによって使用される帯域幅が具体的にどのくらいであるのかが特定され得る。
【００７１】
測定され得るセルのリスト(NeighCellList):  測定され得るセルの対応するリストが、各RRM測定手順に関してセットされ得る。測定され得るセルのリストをセットする意義は、UEが、複数のキャリアを測定することにあり、ここでは、複数のセルは、各キャリアにおいて働き、そのため、UEが所与のキャリアにおいて測定を行うとき、複数のセルが発見され得、RRM測定は、各セルに関して行われる。NeighCellListを構成することは、UEに、近傍にあるセルについて通知することであり、ここでは、すべてのこれらのセルは、UEが隣接セルの発見および測定を行うときに発見され得るセルである。
【００７２】
具体的な構成においては、たとえば、測定され得るセルのリストは、あるRRM測定手順に関して10、18、または90にセットされ得、測定され得るセルのリストは、別のRRM測定手順に関して45、56、または78にセットされ得る。
【００７３】
セルブラックリスト(blackcell):  対応するセルブラックリストは、各RRM測定手順に関してセットされ得る。セルブラックリストをセットする意義は、動作上、近傍の一部のセルにより、一部のUEがアクセスできないようにすることにある。たとえば、一部のセルは、プライベートセルであり、認証されていないユーザがアクセスできないようにする。そのため、測定中、これらのセルの測定結果を報告することは必要ない。セルブラックリストは、UEに、このキャリアにおいて報告される必要のないセルのリストについて知らせる。具体的な構成においては、たとえば、測定され得るセルのリストは、あるRRM測定手順に関して23、24、または132にセットされ得、測定され得るセルのリストは、別のRRM測定手順に関して35、67、または132にセットされ得る。
【００７４】
イベントトリガ報告の閾値:  このパラメータは、プリセット条件(イベントトリガ報告の閾値)が満たされるとき、UEが、ネットワーク側にRRM測定結果を報告することを意味する。このパラメータは、複数のイベントについての報告トリガリング閾値を含むことができる。加えて、複数の閾値は、1つのイベントについてセットされ得、セッティングはまた、各RRM測定手順に関して独立して行われ得る。一連のプリセット条件は、LTEプロトコルにおいて規定され、それは、EventA1、EventA2、…、およびEventA6である。これらのイベントの説明は、以下の通りである:  EventA1は、UEが接続されるセル(サービングセル)の信号品質が、所与の閾値を超えることを意味する。EventA2は、UEが接続されるセル(サービングセル)の信号品質が、所与の閾値を下回ることを意味する。EventA3は、隣接セルの信号品質が、ある閾値だけ、UEのPCellのものを超えることを意味し、ここでは、本明細書におけるUEのPCellは、UEが複数のキャリアにおいて同時に働くことができることを示し、キャリアのうちの1つは、UEのPCell(Primary Cell)と称され、他のキャリアは、UEのSCell(Secondary Cell)と称される。EventA4は、隣接セルの信号品質が閾値を超えることを意味する。EventA5は、UEが接続されるPCellの受信される品質が閾値1を下回り、隣接セルの受信される品質が閾値2を超えることを意味する。EventA6は、隣接セルの信号品質が、ある閾値だけ、UEのSCellのものを超えることを意味する。
【００７５】
具体的な構成においては、たとえば、{EventA1閾値、EventA2閾値、EventA3閾値、EventA4閾値、EventA5閾値、EventA6閾値}は、あるRRM測定手順に関してセットされ、{EventA1閾値、EventA2閾値、EventA3閾値}は、別のRRM測定手順に関してセットされる。
【００７６】
報告間隔(Report Interval):  対応する報告間隔は、各RRM測定手順に関してセットされ得る。たとえば、報告間隔は、あるRRM測定手順に関して320msにセットされ、報告間隔は、別のRRM測定手順に関して640msにセットされる。
【００７７】
報告測定基準:  報告測定基準は、RSRPのみ、もしくはRSRQのみが報告される、またはRSRPとRSRQとがともに報告されるようにセットされ得る。加えて、対応する報告測定基準は、各RRM測定手順に関してセットされ得る。たとえば、RSRPの報告が、あるRRM測定手順に関してセットされ得、RSRQの報告が、別のRRM測定手順に関してセットされ得る。
【００７８】
報告イベント駆動測定基準:  報告イベント駆動測定基準は、RSRPまたはRSRQにセットされ得る。このパラメータは、イベントトリガ報告のために、トリガ条件がRSRPに基づいているか、それともRSRQに基づいているかにかかわらず、UEに命令するのに使用される。たとえば、イベントA1(EventA1)は、RSRPが閾値を超えるか、またはRSRQが閾値を超えるかにかかわらず、サービングセルの信号品質が所与の閾値を超えるときにトリガすることについて示す。つまり、前述のイベントA1からA6は、RSRPによって駆動される場合も、またはRSRQによって駆動される場合もある。対応する報告イベント駆動測定基準は、各測定手順に関してセットされ得る。
【００７９】
報告すべきセルの最大数量(maximal cell to report):  各RRM測定手順に関して、別々にセッティングが行われ得る。たとえば、報告すべきセルの最大数量は、ある測定手順に関して3にセットされ得、報告すべきセルの最大数量は、別のRRM測定手順に関して5にセットされ得る。
【００８０】
レイヤ3フィルタパラメータ(FilterCoefficient):  各RRM測定手順に関して、セッティングが行われ得る。たとえば、レイヤ3フィルタパラメータは、あるRRM測定手順に関して0.7にセットされ得、レイヤ3フィルタパラメータは、別のRRM測定手順に関して0.9にセットされ得る。このパラメータの意義は、UEの固有の測定振舞いに関係付けられる。UEの測定の場合、まず、複数のレイヤ1(layer 1)測定結果が取得され得、次いで、UEは、レイヤ1測定結果において平均化(またはフィルタリング)を行ってフィルタリングされた結果を取得し、次いで、UEのレイヤ1(L1)は、固有レートにおいて、フィルタリングされた結果をUEの上位レイヤに報告する。たとえば、報告は、200msごと、または480msごとに行われる。UEの上位レイヤは、L1によって報告された結果において上位レイヤフィルタリングを行う。LTEにおいては、そのようなフィルタリングはまた、レイヤ3フィルタリング(Layer3 filtering)とも称される。レイヤ3フィルタリングのフィルタ係数が、セットされる必要があり、本明細書におけるFilterCoefficientは、構成された値に従ってセットされる。
【００８１】
CRSアンテナポート1が存在するかどうか(このパラメータの名称は、たとえば、presenseAntennaPort1である):  このパラメータは、「真」または「偽」にセットされ得る。たとえば、このパラメータは、あるRRM測定手順に関して「真」にセットされ得、このパラメータは、別のRRM測定手順に関して「偽」にセットされ得る。
【００８２】
このパラメータをセットする意義は、UEが、ダウンリンク参照信号に基づいてRRM測定を行うことにある。現在のLTEシステムにおいては、UEは、主には、近傍の基地局によって送達されるCRSに従って、測定を行う。LTEにおけるCRSは、アンテナポート0から3を使用することによって送信され得る。各基地局は、CRSを送信し、少なくともアンテナポート0(antenna port 0)においてCRSを送信するが、CRSが、アンテナポート1、2、または3において送信されるかどうかは決められていない。そのため、RRM測定を行うとき、UEは、少なくともアンテナポート0において送信されるCRSを使用する。本明細書における「presenseAntennaPort1」をセットすることは、RRM測定を行うのにアンテナポート0の他にアンテナポート1が、使用され得るかどうかをUEに示すためである。
【００８３】
測定パラメータ情報は、OffsetFreqをさらに含むことができ、ここでは、このパラメータは、このキャリア関して測定によって取得されるRSRPまたはRSRQの補償値を示す。たとえば、このパラメータは、あるRRM測定手順に関して0dBにセットされ得、このパラメータは、別のRRM測定手順に関して5dBにセットされる。
【００８４】
前述のRRM測定手順の構成情報を受信後、UEは、対応する測定パラメータ情報に従って、各RRM測定手順の測定時間領域情報によって決定されるサブフレームにおけるRRM測定および報告を行う。
【００８５】
この実施形態におけるUEは、互いに独立している少なくとも2つのRRM測定手順の、基地局によって送信される構成情報を受信し、互いに独立している少なくとも2つのRRM測定手順を使用することによって、1つのキャリアにおいてRRM測定を行って少なくとも2つのRRM測定結果を取得し、そのRRM測定結果を基地局に報告する。互いに独立している少なくとも2つのRRM測定手順は、種々の隣接セルに関して構成され得、そのため、各RRM測定手順に対応する測定時間領域情報は、測定予定の隣接セルによって送信されるRRM測定参照信号の時間領域情報に一致する。そのため、RRM測定参照信号が連続的に送信されない隣接セルが、隣接セル発見および隣接セル測定の正確な結果を取得するようにするために測定可能である。
【００８６】
さらには、前述の実施形態においては、送信モジュール103は、具体的には、
基地局に少なくとも2つのRRM測定結果を別々に報告すること、または
少なくとも2つのRRM測定結果から1つのRRM測定結果を選択し、基地局にそのRRM測定結果を報告すること、または
基地局に少なくとも2つのRRM測定結果の組合せを報告することを行うように構成されている。
【００８７】
さらにおよび具体的には、送信モジュール103は、具体的には、
基地局に少なくとも2つのRRM測定結果の重み付け平均を報告するように構成されている。
【００８８】
具体的には、図2aに示されている例は、説明するために使用される。実線によって表されたサブフレームは、第1のRRM測定手順に対応し、破線によって表されたサブフレームは、第2のRRM測定手順に対応していることが仮定される。第3のスモールセルは、常にオンであり、そのため、第1のRRM測定手順を実行するとき、UEは、第3のスモールセルの存在を発見し、第3のスモールセルにおいてRRM測定を行う。加えて、第2のRRM測定手順を実行するとき、UEはやはり、第3のスモールセルの存在を発見し、第3のスモールセルにおいてRRM測定を行う。干渉レベルは、種々の測定サブフレームにおいて異なる。たとえば、図2aにおいては、第1のRRM測定手順に対応するサブフレームにおいては、信号送信は、第1のスモールセルにおいて、または第2のスモールセルにおいてまったく行われず、そのため、第3のスモールセルにおけるDRS送信は、2つのセルから干渉をまったく受けない。しかしながら、第2のRRM測定手順に対応するサブフレームにおいては、第3のスモールセルにおける送信は、第1のスモールセルおよび第2のスモールセルから干渉を受ける。そのため、2つのRRM測定手順を使用することによって取得される測定結果は、異なる。
【００８９】
この場合においては、第3のスモールセルの測定結果に関して、UEは、3つの処理方法を有することができる。
【００９０】
方法1.  UEは、2つの手順を使用することによって取得される第3のスモールセルの両方の測定結果を報告する。方式1を使用する利点は、ネットワーク側が、2つの測定結果を取得し得ることにあり、一旦、セルがオフの状態からオンの状態に変わると、現在オンのセルの受信される品質が影響を受ける。この解決策の利点は、2つの結果を報告することにより、現在オフのセルがオンになった後、いかにオン状態のセルが影響を受けるかをネットワーク側が判断する助けになり得ること、さらには、オフ状態のセルをオンにすべきであるかどうかをネットワーク側が決定する助けになり得ることにある。たとえば、第1のRRM測定手順の測定結果は、第1のスモールセルおよび第2のスモールセルがともにオフ状態にある場合において、第3のスモールセルの受信される信号品質を反映する。第2のRRM測定の結果は、第1および第2のスモールセルがオンである場合、第3のスモールセルの受信される信号品質を反映する。ネットワーク側は、2つのグループの結果を使用することによって、第1および第2のスモールセルをオンにして良いかどうかを決定し得る。
【００９１】
方法2.  UEは、基地局の命令に従って、第1のRRM測定手順を使用することによって取得される測定結果のみを報告し得る。方式2を使用する利点は、報告される情報の量が、相対的に少なく、エアインターフェース資源が削減可能であることにある。
【００９２】
方法3.  UEは、2つの手順を使用することによって取得される結果の組合せを報告し得る。たとえば、UEは、基地局に、2つのRRM測定結果の重み付け平均を報告し得る。たとえば、M=0.9M1+0.1M2が使用され、ここでは、Mは、最終的に報告される結果であり、M1は、第1のRRM測定手順を使用することによって取得される測定結果であり、M2は、第2のRRM測定手順を使用することによって取得される測定結果である。
【００９３】
基地局は、UEが第3のスモールセルのRRM測定結果を報告する方式をあらかじめ構成しても、または報告するのにどの方式が使用されるべきであるかをリアルタイムにUEに命令してもよい。
【００９４】
別の実施形態においては、測定パラメータ情報は、測定され得るセルのリストを含み、
送信モジュール103は、具体的には、
測定され得るセルのリストに属するセルの、測定によって取得されるRRM測定結果の中の、あるRRM測定結果のみをUEによって基地局に報告するように構成されている。
【００９５】
具体的な実装形態においては、基地局によってUEに送達されるRRM測定手順の構成情報は、測定され得るセルのリスト(NeighCellList)を含む。この実施形態においては、任意選択で、あらかじめ複数のRRM測定手順を構成後、基地局は、NeighCellList外のセルは、そのセルが発見される場合であっても測定されないように、またはNeighCellList外のセルが測定される場合であってもセルの測定結果は報告されないように、手順のうちの1つまたは複数をセットし得る。図2aの中の例が、例として使用される。第1のスモールセル、第2のスモールセル、および第3のスモールセルは、第2のRRM測定手順(破線によって表されたサブフレーム)を使用することによって発見可能である。この実施形態における方法によれば、測定され得るセルのリストは、第1のスモールセルおよび第2のスモールセルにセットされ得、つまり、第1のスモールセルおよび第2のスモールセルのみが、ターゲットセルと定義される。そのため、第2のRRM測定手順に対応する測定においては、UEが第3のスモールセルを発見した場合であっても、測定は行われない。代替として、第3のスモールセルの測定結果は報告されないことが定義され得る。
【００９６】
図3は、本発明による基地局の第1の実施形態の概略構造図である。図3に示されているように、この実施形態における基地局300は、構成モジュール301、送信モジュール302、および受信モジュール303を含み得る。
【００９７】
構成モジュール301は、互いに独立している少なくとも2つの無線資源管理RRM測定手順を1つのキャリアについて構成するように構成されており、各RRM測定手順の構成情報は、測定時間領域情報のグループおよび対応する測定パラメータ情報を含む。
【００９８】
送信モジュール302は、互いに独立している少なくとも2つのRRM測定手順の構成情報をUEに送信するように構成されており、それにより、UEは、互いに独立している少なくとも2つの無線資源管理RRM測定手順を使用して、各キャリアにおいてRRM測定を行うようになる。
【００９９】
受信モジュール303は、UEによって報告されるRRM測定結果を受信するように構成されている。
【０１００】
さらにおよび具体的には、構成モジュール301は、具体的には、隣接基地局によって送信される発見参照信号の時間領域情報に従って各キャリアについて測定時間領域情報の少なくとも2つのグループを構成し、測定時間領域情報の各グループについて対応する測定パラメータ情報を構成するように構成されている。
【０１０１】
しかしながら、既存のRRM測定プロセスにおいては、基地局は、通常は、あるキャリアについて1つのRRM測定手順しか構成しない。つまり、各キャリアは、測定時間領域情報の1つのグループおよび測定時間領域情報のそのグループに対応する測定パラメータ情報に対応している。以下においては、従来技術のRRMを使用することによって実行不可能な隣接セル測定を、いかにしてこの実施形態におけるUEが行うのかについて説明するための例として、スモールセルネットワークが使用される。図2aに示されている例がやはり、使用される。ネットワーク上に、第1のスモールセル、第2のスモールセル、および第3のスモールセルである3つのスモールセルがあると仮定される。図2aに示されているように、第1のスモールセルおよび第2のスモールセルは、オフ状態にあり、周期的にいくつかのDRSのみを送信するが、第3のスモールセルは、オン状態にあり、連続的にアップリンク信号送信を行う。従来技術を使用することによって、セルの測定および発見が行われる場合、基地局は、UE向けに、測定時間領域情報として、測定サブフレームのグループ、たとえば、図2aに示されている実線によって表されたサブフレームを構成して、UEに、測定サブフレームのこのグループにおけるRRM測定を行わせる。そのため、UEは、第3のスモールセルのDRSを測定することはできるが、第2のスモールセルまたは第1のスモールセルのDRSを測定することはできない場合がある。そのため、従来技術のRRM測定による測定結果において平均化およびフィルタリングを行うことは、測定結果のずれを引き起こす。
【０１０２】
しかしながら、この実施形態においては、基地局は、測定時間領域情報の少なくとも2つのグループ(たとえば、図2aにおいては、実線によって表されたサブフレームの1つのグループ、および破線によって表されたサブフレームの1つのグループ)、ならびに測定時間領域情報の各グループに対応する測定パラメータ情報を構成する。測定時間領域情報の各グループは、1つのスモールセルがDRSを送信する間隔に一致するように、種々の測定時間領域情報が、種々のスモールセルに関して構成され得る。図2aに示されているように、第3のスモールセルのDRSは、実線によって表されたサブフレームにおいて測定可能であり、第1のスモールセルおよび第2のスモールセルのDRSは、破線によって表されたサブフレームにおいて測定可能である。加えて、UEは、互いに独立している少なくとも2つのRRM測定手順を別々に使用することによって1つのキャリアにおいてRRM測定を行うように命令され、少なくとも2つのRRM測定結果を取得する。つまり、独立したRRM測定が、異なるスモールセルに関して行われ得る。そのため、DRSが連続的に送信されない隣接セルが、隣接セル発見および隣接セル測定の正確な結果を取得するようにするために測定可能である。
【０１０３】
具体的には、基地局は、バックホールを用いて、互いと通信し得る。DRS送信が可能な基地局は、バックホールを用いて、UEのサービング基地局に、DRSが送信されるサブフレームに関する情報について通知し得、サービング基地局は、サブフレーム情報に従って、対応する測定時間領域情報を構成し得る。図2aに示されている例においては、サービング基地局は、第1のスモールセルおよび第2のスモールセルがDRSを送信するサブフレームのセットとして、測定時間領域情報の第2のグループ、つまり、図2aの第2の時間軸上の破線ブロックを構成し得る。つまり、サービングセルによってUE向けに構成される測定時間領域情報は、第1のスモールセルおよび第2のスモールセルがDRSを送信するサブフレームに一致することができ、それにより、UEが、第1のスモールセルおよび第2のスモールセルの隣接セル情報を測定し、正確な測定結果を取得することができるように確保される。
【０１０４】
具体的な実装形態においては、構成モジュール301は、具体的には、
各キャリアについて測定サブフレームの少なくとも2つのセットを構成し、測定サブフレームの各セットを測定時間領域情報のグループとして使用すること、または
少なくとも2つのサブセットを測定サブフレームのセットから分割し、各サブセットを測定時間領域情報のグループとして使用すること、または
各キャリアについて少なくとも2つの測定ギャップを構成し、各測定ギャップを測定時間領域情報のグループとして使用すること、または
少なくとも2つのサブギャップを測定ギャップから分割し、各サブギャップを測定時間領域情報のグループとして使用することを行うように構成されている。
【０１０５】
具体的な実装形態プロセスでは、UEの第1の実施形態における測定時間領域情報の少なくとも2つのグループについての説明に参照がなされてよい。
【０１０６】
さらには、構成情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【０１０７】
構成パラメータの詳細な説明では、UEの第1の実施形態における構成パラメータについての説明に参照がなされてよい。
【０１０８】
さらには、受信モジュール303は、具体的には、
UEによって別々に報告される少なくとも2つのRRM測定結果を受信すること、または
UEによって少なくとも2つのRRM測定結果から選択されるいくつかのRRM測定結果を受信すること、または
UEによって少なくとも2つのRRM測定結果を組み合わせることによって取得されるRRM測定結果を受信することを行うように構成されている。
【０１０９】
実装方式においては、受信モジュール303は、具体的には、
UEによって少なくとも2つのRRM測定結果において重み付け平均化を行うことによって取得されるRRM測定結果を受信するように構成されている。
【０１１０】
具体的には、図2aに示されている例は、説明するために使用される。実線によって表されたサブフレームは、第1のRRM測定手順1に対応し、破線によって表されたサブフレームは、第2のRRM測定手順に対応していることが仮定される。第3のスモールセルは、常にオンであり、そのため、第1のRRM測定手順を実行するとき、UEは、第3のスモールセルの存在を発見し、第3のスモールセルにおいてRRM測定を行う。加えて、第2のRRM測定手順を実行するとき、UEはやはり、第3のスモールセルの存在を発見し、第3のスモールセルにおいてRRM測定を行う。干渉レベルは、種々の測定サブフレームにおいて異なる。たとえば、図2aにおいては、第1のRRM測定手順に対応するサブフレームにおいては、信号送信は、第1のスモールセルにおいて、または第2のスモールセルにおいてまったく行われず、そのため、第3のスモールセルにおけるDRS送信は、2つのセルから干渉をまったく受けない。しかしながら、第2のRRM測定手順に対応するサブフレームにおいては、第3のスモールセルにおける送信は、第1のスモールセルおよび第2のスモールセルから干渉を受ける。そのため、2つのRRM測定手順を使用することによって取得される測定結果は、異なる。
【０１１１】
この場合には、第3のスモールセルの測定結果に関して、基地局は、以下の3つの処理方法のうちのいずれか1つを使用することによって結果報告を行うようにUEに命令し得る。
【０１１２】
方式1.  UEに、2つの手順を使用することによって取得される第3のスモールセルの両方の測定結果を報告するように命令する。
【０１１３】
方式2.  UEに、基地局の命令に従って、第1のRRM測定手順を使用することによって取得される測定結果のみを報告するように命令する。
【０１１４】
方式3.  UEに、基地局の命令に従って、2つの手順を使用することによって取得される結果の組合せを報告するように命令する。たとえば、UEは、基地局に、2つのRRM測定結果の重み付け平均を報告し得る。たとえば、M=0.9M1+0.1M2が使用され、ここでは、Mは、最終的に報告される結果であり、M1は、第1のRRM測定手順を使用することによって取得される測定結果であり、M2は、第2のRRM測定手順を使用することによって取得される測定結果である。
【０１１５】
基地局は、UEが第3のスモールセルのRRM測定結果を報告する方式をあらかじめ構成しても、または報告するのにどの方式が使用されるべきであるかをリアルタイムにUEに命令してもよい。
【０１１６】
それに対応して、受信モジュール303は、3つの方式において報告されるRRM測定結果を受信し得る。
【０１１７】
任意選択で、可能な実装方式においては、測定パラメータ情報は、測定され得るセルのリストを含み、
受信モジュール303は、具体的には、
測定され得るセルのリストに属するセルの、測定によって取得されるRRM測定結果の中の、あるRRM測定結果を受信することであって、UEが、そのRRM測定結果のみを報告する、受信することを行うように構成されている。
【０１１８】
具体的な実装形態においては、基地局によってUEに送達されるRRM測定手順の構成情報は、測定され得るセルのリスト(NeighCellList)を含む。この実施形態においては、任意選択で、あらかじめ複数のRRM測定手順を構成後、基地局は、NeighCellList外のセルは、そのセルが発見される場合であっても測定されないように、またはNeighCellList外のセルが測定される場合であってもセルの測定結果は報告されないように、手順のうちの1つまたは複数をセットし得る。図2aの中の例が、なおも例として使用される。第1のスモールセル、第2のスモールセル、および第3のスモールセルは、第2のRRM測定手順(破線によって表されたサブフレーム)を使用することによって発見可能である。この実施形態における方法によれば、測定され得るセルのリストは、第1のスモールセルおよび第2のスモールセルにセットされ得、つまり、第1のスモールセルおよび第2のスモールセルのみが、ターゲットセルと定義される。そのため、第2のRRM測定手順に対応する測定においては、UEが第3のスモールセルを発見した場合であっても、測定は行われない。代替として、第3のスモールセルの測定結果は報告されないことが定義され得る。
【０１１９】
この実施形態における基地局は、互いに独立している少なくとも2つの無線資源管理RRM測定手順を1つのキャリアについて構成し、各RRM測定手順の構成情報は、測定時間領域情報のグループおよび対応する測定パラメータ情報を含み、基地局は、互いに独立している少なくとも2つのRRM測定手順の構成情報をUEに送信し、それにより、UEは、互いに独立している少なくとも2つの無線資源管理RRM測定手順を使用して、各キャリアにおいてRRM測定を行うようになり、次いで、基地局は、UEによって報告されるRRM測定結果を受信する。互いに独立している少なくとも2つRRM測定手順は、種々の隣接セルに関して構成され得、そのため、各RRM測定手順に対応する測定時間領域情報は、測定予定の隣接セルによって送信されるRRM測定参照信号の時間領域情報に一致する。そのため、RRM測定参照信号が連続的に送信されない隣接セルが、隣接セル発見および隣接セル測定の正確な結果を取得するようにするために測定可能である。
【０１２０】
図4は、本発明によるUEの第2の実施形態の概略構造図である。図4に示されているように、この実施形態におけるUEは、受信機401、プロセッサ402、および送信機403を含み得る。メモリ404、およびバス405もまた、図に示されている。受信機401、プロセッサ402、送信機403、およびメモリ404は、バス405を使用することによって、接続され、互いとの通信を実装する。
【０１２１】
バス405は、業界標準アーキテクチャ(Industry Standard Architecture、ISA)バス、周辺構成要素相互接続(Peripheral Component、PCI)バス、または拡張業界標準アーキテクチャ(Extended Industry Standard Architecture、EISA)バスなどであってよい。バス405は、アドレスバス、データバス、および制御バスなどに分類され得る。表現を容易にするために、図4には1本の太線しか使用されていないが、これは、バスが1本しかないこと、またはバスのタイプが1つしかないことを意味しているのではない。
【０１２２】
メモリ404は、実行可能なプログラムコードを記憶するように構成されており、ここでは、プログラムコードは、コンピュータ動作命令を含む。メモリ404は、高速RAMメモリを含んでよく、不揮発性メモリ(non-volatile memory)、たとえば、少なくとも1つの磁気ディスクメモリをさらに含んでもよい。
【０１２３】
プロセッサ402は、中央処理装置(Central Processing Unit、CPU)、または特定用途向け集積回路(Application Specific Integrated Circuit、ASIC)であってよく、あるいは本発明の諸実施形態を実装する1つまたは複数の集積回路として構成される。
【０１２４】
受信機401は、互いに独立している少なくとも2つの無線資源管理RRM測定手順の、基地局によって送信される構成情報を受信するように構成されており、RRM測定手順が、測定予定の隣接セルに関する情報に従って基地局によって構成される。
【０１２５】
プロセッサ402は、互いに独立している少なくとも2つのRRM測定手順を使用することによって1つのキャリアにおいてRRM測定を行い、少なくとも2つのRRM測定結果を取得するように構成されている。
【０１２６】
送信機403は、RRM測定結果を基地局に報告するように構成されている。
【０１２７】
さらには、各RRM測定手順の構成情報は、測定時間領域情報のグループおよび対応する測定パラメータ情報を含み、
受信機401は、具体的には、基地局によって送信される、測定時間領域情報の少なくとも2つのグループおよび測定時間領域情報の各グループに対応する測定パラメータ情報を受信するように構成されている。
【０１２８】
さらには、測定時間領域情報の少なくとも2つのグループは、
基地局によって各キャリアについて構成される測定サブフレームの少なくとも2つのセットであって、測定サブフレームの各セットが、測定時間領域情報のグループである、測定サブフレームの少なくとも2つのセット、または
基地局によって各キャリアについて構成される測定サブフレームのセットから分割される少なくとも2つのサブセットであって、各サブセットが、測定時間領域情報のグループである、少なくとも2つのサブセット、または
基地局によって各キャリアについて構成される少なくとも2つの測定ギャップであって、各測定ギャップが、測定時間領域情報のグループである、少なくとも2つの測定ギャップ、または
基地局によって測定ギャップから分割される少なくとも2つのサブギャップであって、各サブギャップが、測定時間領域情報のグループである、少なくとも2つのサブギャップを含む。
【０１２９】
さらには、送信機403は、具体的には
基地局に少なくとも2つのRRM測定結果を別々に報告すること、または
少なくとも2つのRRM測定結果から1つのRRM測定結果を選択し、基地局にそのRRM測定結果を報告すること、または
基地局に少なくとも2つのRRM測定結果の組合せを報告することを行うように構成されている。
【０１３０】
さらには、送信機403は、具体的には、
基地局に少なくとも2つのRRM測定結果の重み付け平均を報告するように構成されている。
【０１３１】
さらには、測定パラメータ情報は、測定され得るセルのリストを含み、
送信機403は、具体的には、
測定され得るセルのリストに属するセルの、測定によって取得されるRRM測定結果の中の、あるRRM測定結果のみをUEによって基地局に報告するように構成されている。
【０１３２】
さらには、測定パラメータ情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【０１３３】
この実施形態におけるUEは、互いに独立している少なくとも2つのRRM測定手順の、基地局によって送信される構成情報を受信し、互いに独立している少なくとも2つのRRM測定手順を使用することによって、1つのキャリアにおいてRRM測定を行って少なくとも2つのRRM測定結果を取得し、基地局にそのRRM測定結果を報告する。互いに独立している少なくとも2つのRRM測定手順は、種々の隣接セルに関して構成され得、そのため、各RRM測定手順に対応する測定時間領域情報は、測定予定の隣接セルによって送信されるRRM測定参照信号の時間領域情報に一致する。そのため、RRM測定参照信号が連続的に送信されない隣接セルが、隣接セル発見および隣接セル測定の正確な結果を取得するようにするために測定可能である。
【０１３４】
図5は、本発明による基地局の第2の実施形態の概略構造図である。図5に示されているように、この実施形態における基地局は、プロセッサ501、送信機502、および受信機503を含み得る。メモリ504、およびバス505もまた、図に示されている。プロセッサ501、送信機502、および受信機503、ならびにメモリ504は、バス505を使用することによって、接続され、互いとの通信を実装する。
【０１３５】
バス505は、業界標準アーキテクチャ(Industry Standard Architecture、ISA)バス、周辺構成要素相互接続(Peripheral Component、PCI)バス、または拡張業界標準アーキテクチャ(Extended Industry Standard Architecture、EISA)バスなどであってよい。バス505は、アドレスバス、データバス、および制御バスなどに分類され得る。表現を容易にするために、図5には1本の太線しか使用されていないが、これは、バスが1本しかないこと、またはバスのタイプが1つしかないことを意味しているのではない。
【０１３６】
メモリ504は、実行可能なプログラムコードを記憶するように構成されており、ここでは、プログラムコードは、コンピュータ動作命令を含む。メモリ504は、高速RAMメモリを含んでよく、不揮発性メモリ(non-volatile memory)、たとえば、少なくとも1つの磁気ディスクメモリをさらに含んでもよい。
【０１３７】
プロセッサ501は、中央処理装置(Central Processing Unit、CPU)、または特定用途向け集積回路(Application Specific Integrated Circuit、ASIC)であってよく、あるいは本発明の諸実施形態を実装する1つまたは複数の集積回路として構成される。
【０１３８】
プロセッサ501は、測定予定の隣接セルに関する情報に従って、互いに独立している少なくとも2つの無線資源管理RRM測定手順を1つのキャリアについて構成するように構成されており、各RRM測定手順の構成情報は、測定時間領域情報のグループおよび対応する測定パラメータ情報を含む。
【０１３９】
送信機502は、互いに独立している少なくとも2つのRRM測定手順の構成情報をユーザ機器UEに送信するように構成されており、それにより、UEは、互いに独立している少なくとも2つの無線資源管理RRM測定手順を使用して、各キャリアにおいてRRM測定を行うようになる。
【０１４０】
受信機503は、UEによって報告されるRRM測定結果を受信するように構成されている。
【０１４１】
さらには、プロセッサ501は、具体的には隣接基地局によって送信される発見参照信号に従って各キャリアについて測定時間領域情報の少なくとも2つのグループを構成し、測定時間領域情報の各グループについて対応する測定パラメータ情報を構成するように構成されている。
【０１４２】
さらには、プロセッサ501は、具体的には、
各キャリアについて測定サブフレームの少なくとも2つのセットを構成し、測定サブフレームの各セットを測定時間領域情報のグループとして使用すること、または
少なくとも2つのサブセットを測定サブフレームのセットから分割し、各サブセットを測定時間領域情報のグループとして使用すること、または
各キャリアについて少なくとも2つの測定ギャップを構成し、各測定ギャップを測定時間領域情報のグループとして使用すること、または
少なくとも2つのサブギャップを測定ギャップから分割し、各サブギャップを測定時間領域情報のグループとして使用することを行うように構成されている。
【０１４３】
さらには、受信機503は、具体的には、
UEによって別々に報告される少なくとも2つのRRM測定結果を受信すること、または
UEによって少なくとも2つのRRM測定結果から選択されるいくつかのRRM測定結果を受信すること、または
UEによって少なくとも2つのRRM測定結果を組み合わせることによって取得されるRRM測定結果を受信することを行うように構成されている。
【０１４４】
さらには、受信機503は、具体的には、
UEによって少なくとも2つのRRM測定結果において重み付け平均化を行うことによって取得されるRRM測定結果を受信するように構成されている。
【０１４５】
さらには、測定パラメータ情報は、測定され得るセルのリストを含み、
受信機503は、具体的には、
測定され得るセルのリストに属するセルの、測定によって取得されるRRM測定結果の中の、あるRRM測定結果を受信することであって、UEが、そのRRM測定結果のみを報告する、受信することを行うように構成されている。
【０１４６】
さらには、構成情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【０１４７】
この実施形態における基地局は、互いに独立している少なくとも2つの無線資源管理RRM測定手順を1つのキャリアについて構成し、各RRM測定手順の構成情報は、測定時間領域情報のグループおよび対応する測定パラメータ情報を含み、基地局は、互いに独立している少なくとも2つのRRM測定手順の構成情報をUEに送信し、それにより、UEは、互いに独立している少なくとも2つの無線資源管理RRM測定手順を使用して、各キャリアにおいてRRM測定を行うようになり、次いで、基地局は、UEによって報告されるRRM測定結果を受信する。互いに独立している少なくとも2つRRM測定手順は、種々の隣接セルに関して構成され得、そのため、各RRM測定手順に対応する測定時間領域情報は、測定予定の隣接セルによって送信されるRRM測定参照信号の時間領域情報に一致する。そのため、RRM測定参照信号が連続的に送信されない隣接セルが、隣接セル発見および隣接セル測定の正確な結果を取得するようにするために測定可能である。
【０１４８】
図6は、本発明による隣接セル測定方法の第1の実施形態の流れ図である。この実施形態の方法は、UEによって実行され、図1または図4に示されている実施形態におけるUEによって実行され得る。図6に示されているように、この実施形態の方法は、次を含み得る。
【０１４９】
ステップ601.  UEは、互いに独立している少なくとも2つのRRM測定手順の、基地局によって送信される構成情報を受信し、RRM測定手順は、測定予定の隣接セルに関する情報に従って基地局によって構成される。
【０１５０】
具体的には、各RRM測定手順の構成情報は、測定時間領域情報のグループおよび対応する測定パラメータ情報を含み得る。
【０１５１】
ステップ601は、具体的には、UEは、基地局によって送信される、測定時間領域情報の少なくとも2つのグループおよび測定時間領域情報の各グループに対応する測定パラメータ情報を受信することである。
【０１５２】
ステップ602.  UEは、互いに独立している少なくとも2つのRRM測定手順を使用することによって、1つのキャリアにおいてRRM測定を行い、少なくとも2つのRRM測定結果を取得する。
【０１５３】
ステップ603.  UEは、基地局にRRM測定結果を報告する。
【０１５４】
従来技術のRRM測定プロセスにおいては、基地局は、通常は、あるキャリアについて1つのRRM測定手順しか構成しない。つまり、各キャリアは、測定時間領域情報の1つのグループおよび測定時間領域情報のそのグループに対応する測定パラメータ情報に対応している。以下においては、従来技術のRRMでは実行不可能な隣接セル測定を、いかにしてこの実施形態におけるUEが行うのかについて説明するための例として、スモールセルネットワークが使用される。図2aに示されている例がやはり、使用される。ネットワーク上に、第1のスモールセル、第2のスモールセル、および第3のスモールセルである3つのスモールセルがあると仮定される。図2aに示されているように、第1のスモールセルおよび第2のスモールセルは、オフ状態にあり、周期的にいくつかのDRSのみを送信するが、第3のスモールセルは、オン状態にあり、連続的にアップリンク信号送信を行う。従来技術を使用することによって、セルの測定および発見が行われる場合、基地局は、UE向けに、測定時間領域情報として、測定サブフレームのグループ、たとえば、図2aに示されている実線によって表されたサブフレームを構成して、UEに、測定サブフレームのこのグループにおけるRRM測定を行わせる。そのため、UEは、第3のスモールセルのDRSを測定することはできるが、第2のスモールセルまたは第1のスモールセルのDRSを測定することはできない場合がある。そのため、従来技術のRRM測定による測定結果において平均化およびフィルタリングを行うことは、測定結果のずれを引き起こす。
【０１５５】
しかしながら、この実施形態においては、基地局は、測定時間領域情報の少なくとも2つのグループ(たとえば、図2aにおいては、実線によって表されたサブフレームの1つのグループ、および破線によって表されたサブフレームの1つのグループ)、ならびに測定時間領域情報の各グループに対応する測定パラメータ情報を構成する。測定時間領域情報の各グループは、1つのスモールセルがDRSを送信する間隔に一致するように、種々の測定時間領域情報が、種々のスモールセルに関して構成され得る。図2aに示されているように、第3のスモールセルのDRSは、実線によって表されたサブフレームにおいて測定可能であり、第1のスモールセルおよび第2のスモールセルのDRSは、破線によって表されたサブフレームにおいて測定可能である。加えて、UEは、互いに独立している少なくとも2つのRRM測定手順を別々に使用することによって1つのキャリアにおいてRRM測定を行い、少なくとも2つのRRM測定結果を取得するように命令される。つまり、独立したRRM測定が、種々のスモールセルに関して行われ得る。そのため、DRSが連続的に送信されない隣接セルが、隣接セル発見および隣接セル測定の正確な結果を取得するようにするために測定可能である。
【０１５６】
具体的には、基地局は、バックホールを用いて、互いと通信し得る。DRS送信が可能な基地局は、バックホールを用いて、UEのサービング基地局に、DRSが送信されるサブフレームに関する情報について通知し得、サービング基地局は、サブフレーム情報に従って、対応する測定時間領域情報を構成し得る。図2aに示されている例においては、サービング基地局は、第1のスモールセルおよび第2のスモールセルがDRSを送信するサブフレームのセットとして、測定時間領域情報の第2のグループ、つまり、図2aの第2の時間軸上の破線ブロックを構成し得る。つまり、サービングセルによってUE向けに構成される測定時間領域情報は、第1のスモールセルおよび第2のスモールセルがDRSを送信するサブフレームに一致することができ、それにより、ステップ602において、UEが、第1のスモールセルおよび第2のスモールセルの隣接セル情報を測定し、正確な測定結果を取得することができるように確保される。
【０１５７】
具体的な実装形態においては、測定時間領域情報の少なくとも2つのグループは、
基地局によって各キャリアについて構成される測定サブフレームの少なくとも2つのセットであって、測定サブフレームの各セットが、測定時間領域情報のグループである、測定サブフレームの少なくとも2つのセット、または
基地局によって各キャリアについて構成される測定サブフレームのセットから分割される少なくとも2つのサブセットであって、各サブセットが、測定時間領域情報のグループである、少なくとも2つのサブセット、または
基地局によって各キャリアについて構成される少なくとも2つの測定ギャップであって、各測定ギャップが、測定時間領域情報のグループである、少なくとも2つの測定ギャップ、または
基地局によって測定ギャップから分割される少なくとも2つのサブギャップであって、各サブギャップが、測定時間領域情報のグループである、少なくとも2つのサブギャップを含み得る。
【０１５８】
具体的な実装形態プロセスでは、UEの第1の実施形態における測定時間領域情報の少なくとも2つのグループについての説明に参照がなされてよく、詳細は、本明細書においては説明されていない。
【０１５９】
さらには、測定パラメータ情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【０１６０】
構成パラメータの詳細な説明では、UEの第1の実施形態における構成パラメータについての説明に参照がなされてよい。
【０１６１】
さらには、ステップ603においては、UEが、基地局にRRM測定結果を報告することは、
UEが、基地局に少なくとも2つのRRM測定結果を別々に報告すること、または
UEが、少なくとも2つのRRM測定結果から1つのRRM測定結果を選択し、基地局にそのRRM測定結果を報告すること、または
UEが、基地局に少なくとも2つのRRM測定結果の組合せを報告することを含み得る。
【０１６２】
ある実装方式においては、UEが、基地局に少なくとも2つのRRM結果の組合せを報告することは、次を含み得る。
【０１６３】
UEは、基地局に少なくとも2つのRRM測定結果の重み付け平均を報告する。
【０１６４】
具体的には、図2aに示されている例は、説明するために使用される。実線によって表されたサブフレームは、第1のRRM測定手順1に対応し、破線によって表されたサブフレームは、第2のRRM測定手順に対応していることが仮定される。第3のスモールセルは、常にオンであり、そのため、第1のRRM測定手順を実行するとき、UEは、第3のスモールセルの存在を発見し、第3のスモールセルにおいてRRM測定を行う。加えて、第2のRRM測定手順を実行するとき、UEはやはり、第3のスモールセルの存在を発見し、第3のスモールセルにおいてRRM測定を行う。干渉レベルは、種々の測定サブフレームにおいて異なる。たとえば、図2aにおいては、第1のRRM測定手順に対応するサブフレームにおいては、信号送信は、第1のスモールセルにおいて、または第2のスモールセルにおいてまったく行われず、そのため、第3のスモールセルにおけるDRS送信は、2つのセルから干渉をまったく受けない。しかしながら、第2のRRM測定手順に対応するサブフレームにおいては、第3のスモールセルにおける送信は、第1のスモールセルおよび第2のスモールセルから干渉を受ける。そのため、2つのRRM測定手順を使用することによって取得される測定結果は、異なる。
【０１６５】
この場合には、第3のスモールセルの測定結果に関して、基地局は、UEに、以下の3つの処理方法のうちのいずれか1つを使用することによって結果報告を行うように命令し得る。
【０１６６】
方式1.  UEに、2つの手順を使用することによって取得される第3のスモールセルの両方の測定結果を報告するように命令する。
【０１６７】
方式2.  UEに、基地局の命令に従って、第1のRRM測定手順を使用することによって取得される測定結果のみを報告するように命令する。
【０１６８】
方式3.  UEに、基地局の命令に従って、2つの手順を使用することによって取得される結果の組合せを報告するように命令する。たとえば、UEは、基地局に、2つのRRM測定結果の重み付け平均を報告し得る。たとえば、M=0.9M1+0.1M2が使用され、ここでは、Mは、最終的に報告される結果であり、M1は、第1のRRM測定手順を使用することによって取得される測定結果であり、M2は、第2のRRM測定手順を使用することによって取得される測定結果である。
【０１６９】
基地局は、UEが第3のスモールセルのRRM測定結果を報告する方式をあらかじめ構成しても、または報告するのにどの方式が使用されるべきであるかをリアルタイムにUEに命令してもよい。
【０１７０】
任意選択で、別の可能な実装方式においては、測定パラメータ情報は、測定され得るセルのリストを含み、
ステップ603は、UEは、測定され得るセルのリストに属するセルの、測定によって取得されるRRM測定結果の中の、あるRRM測定結果のみを報告することとすることができる。
【０１７１】
具体的な実装形態においては、基地局によってUEに送達されるRRM測定手順の構成情報は、測定され得るセルのリスト(NeighCellList)を含む。任意選択で、あらかじめ複数のRRM測定手順を構成後、基地局は、NeighCellList外のセルは、そのセルが発見される場合であっても測定されないように、またはNeighCellList外のセルが測定される場合であってもセルの測定結果は報告されないように、手順のうちの1つまたは複数をセットし得る。図2aの中の例が、なおも例として使用される。第1のスモールセル、第2のスモールセル、および第3のスモールセルは、第2のRRM測定手順(破線によって表されたサブフレーム)を使用することによって発見可能である。この実施形態における方法によれば、測定され得るセルのリストは、第1のスモールセルおよび第2のスモールセルにセットされ得、つまり、第1のスモールセルおよび第2のスモールセルのみが、ターゲットセルと定義される。そのため、第2のRRM測定手順に対応する測定においては、UEが第3のスモールセルを発見した場合であっても、測定は行われない。代替として、第3のスモールセルの測定結果は報告されないことが定義され得る。
【０１７２】
この実施形態においては、UEは、互いに独立している少なくとも2つのRRM測定手順の、基地局によって送信される構成情報を受信し、互いに独立している少なくとも2つのRRM測定手順を使用することによって、1つのキャリアにおいてRRM測定を行って少なくとも2つのRRM測定結果を取得し、基地局にそのRRM測定結果を報告する。互いに独立している少なくとも2つのRRM測定手順は、種々の隣接セルに関して構成され得、そのため、各RRM測定手順に対応する測定時間領域情報は、測定予定の隣接セルによって送信されるRRM測定参照信号の時間領域情報に一致する。そのため、RRM測定参照信号が連続的に送信されない隣接セルが、隣接セル発見および隣接セル測定の正確な結果を取得するようにするために測定可能である。
【０１７３】
図7は、本発明による隣接セル測定方法の第2の実施形態の流れ図である。この実施形態の方法は、基地局によって実行され、図3または図5に示されている実施形態における基地局によって実行され得る。図7に示されているように、この実施形態の方法は、次を含み得る。
【０１７４】
ステップ701.  基地局は、互いに独立している少なくとも2つの無線資源管理RRM測定手順を各キャリアについて構成し、各RRM測定手順の構成情報は、測定時間領域情報のグループおよび対応する測定パラメータ情報を含む。
【０１７５】
さらにおよび具体的には、基地局が、互いに独立している少なくとも2つの無線資源管理RRM測定手順を1つのキャリアについて構成することは、次を含み得る。
【０１７６】
基地局は、隣接基地局によって送信される発見参照信号に従って各キャリアについて測定時間領域情報の少なくとも2つのグループを構成し、測定時間領域情報の各グループについて対応する測定パラメータ情報を構成する。
【０１７７】
ステップ702.  基地局は、互いに独立している少なくとも2つのRRM測定手順の構成情報をUEに送信し、それにより、UEは、互いに独立している少なくとも2つの無線資源管理RRM測定手順を使用して、各キャリアにおいてRRM測定を行うようになる。
【０１７８】
ステップ703.  基地局は、UEによって報告されるRRM測定結果を受信する。
【０１７９】
従来技術のRRM測定と比較して、この実施形態においては、基地局は、互いに独立している複数のRRM測定手順を各キャリアについて構成し、互いに独立している複数のRRM測定手順をUEに送信し、それにより、UEは、互いに独立している少なくとも2つのRRM測定手順を使用することによって各キャリアにおいてRRM測定を行い、次いで、種々のRRM測定手順を使用することによって種々の基地局に関して測定を行うようになる。そのため、DRSが連続的に送信されない隣接セルが測定可能である。以下に、この方法の原理について詳述する。
【０１８０】
従来技術のRRM測定プロセスにおいては、基地局は、通常は、あるキャリアについて1つのRRM測定手順しか構成しない。つまり、各キャリアは、測定時間領域情報の1つのグループおよび測定時間領域情報のそのグループに対応する測定パラメータ情報に対応している。以下においては、従来技術のRRMでは実行不可能な隣接セル測定を、いかにしてこの実施形態におけるUEが行うのかについて説明するための例として、スモールセルネットワークが使用される。図2aに示されている例がやはり、使用される。ネットワーク上に、第1のスモールセル、第2のスモールセル、および第3のスモールセルである3つのスモールセルがあると仮定される。図2aに示されているように、第1のスモールセルおよび第2のスモールセルは、オフ状態にあり、周期的にいくつかのDRSのみを送信するが、第3のスモールセルは、オン状態にあり、連続的にアップリンク信号送信を行う。従来技術を使用することによって、セルの測定および発見が行われる場合、基地局は、UE向けに、測定時間領域情報として、測定サブフレームのグループ、たとえば、図2aに示されている実線によって表されたサブフレームを構成して、UEに、測定サブフレームのこのグループにおけるRRM測定を行わせる。そのため、UEは、第3のスモールセルのDRSを測定することはできるが、第2のスモールセルまたは第1のスモールセルのDRSを測定することはできない場合がある。そのため、従来技術のRRM測定による測定結果において平均化およびフィルタリングを行うことは、測定結果のずれを引き起こす。
【０１８１】
しかしながら、この実施形態においては、基地局は、測定時間領域情報の少なくとも2つのグループ(たとえば、図2aにおいては、実線によって表されたサブフレームの1つのグループ、および破線によって表されたサブフレームの1つのグループ)、ならびに測定時間領域情報の各グループに対応する測定パラメータ情報を構成する。測定時間領域情報の各グループは、1つのスモールセルがDRSを送信する間隔に一致するように、種々の測定時間領域情報が、種々のスモールセルに関して構成され得る。図2aに示されているように、第3のスモールセルのDRSは、実線によって表されたサブフレームにおいて測定可能であり、第1のスモールセルおよび第2のスモールセルのDRSは、破線によって表されたサブフレームにおいて測定可能である。加えて、UEは、互いに独立している少なくとも2つのRRM測定手順を別々に使用することによって1つのキャリアにおいてRRM測定を行い、少なくとも2つのRRM測定結果を取得するように命令される。つまり、独立したRRM測定が、種々のスモールセルに関して行われ得る。そのため、DRSが連続的に送信されない隣接セルが、隣接セル発見および隣接セル測定の正確な結果を取得するようにするために測定可能である。
【０１８２】
具体的には、基地局は、バックホールを用いて、互いと通信し得る。DRS送信が可能な基地局は、バックホールを用いて、UEのサービング基地局に、DRSが送信されるサブフレームに関する情報について通知し得、サービング基地局は、サブフレーム情報に従って、対応する測定時間領域情報を構成し得る。図2aに示されている例においては、サービング基地局は、第1のスモールセルおよび第2のスモールセルがDRSを送信するサブフレームのセットとして、測定時間領域情報の第2のグループ、つまり、図2aの第2の時間軸上の破線ブロックを構成し得る。つまり、サービングセルによってUE向けに構成される測定時間領域情報は、第1のスモールセルおよび第2のスモールセルがDRSを送信するサブフレームに一致することができ、それにより、ステップ602において、UEが、第1のスモールセルおよび第2のスモールセルの隣接セル情報を測定し、正確な測定結果を取得することができるように確保される。
【０１８３】
具体的な実装形態においては、基地局が、隣接基地局によって送信される発見参照信号に従って各キャリアについて測定時間領域情報の少なくとも2つのグループを構成することは、
基地局によって、各キャリアについて測定サブフレームの少なくとも2つのセットを構成し、測定サブフレームの各セットを測定時間領域情報のグループとして使用するステップ、または
少なくとも2つのサブセットを測定サブフレームのセットから分割し、各サブセットを測定時間領域情報のグループとして使用するステップ、または
基地局によって、各キャリアについて少なくとも2つの測定ギャップを構成し、各測定ギャップを測定時間領域情報のグループとして使用するステップ、または
少なくとも2つのサブギャップを測定ギャップから分割し、各サブギャップを測定時間領域情報のグループとして使用するステップを含み得る。
【０１８４】
具体的な実装形態プロセスでは、UEの第1の実施形態における測定時間領域情報の少なくとも2つのグループについての説明に参照がなされてよく、詳細は、本明細書においては説明されていない。
【０１８５】
さらには、構成情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【０１８６】
構成パラメータの詳細な説明では、UEの第1の実施形態における構成パラメータについての説明に参照がなされてよい。
【０１８７】
さらには、ステップ703においては、基地局が、UEによって報告されるRRM測定結果を受信することは、
基地局が、UEによって別々に報告される少なくとも2つのRRM測定結果を受信すること、または
基地局が、UEによって少なくとも2つのRRM測定結果から選択されるいくつかのRRM測定結果を受信すること、または
基地局が、UEによって少なくとも2つのRRM測定結果を組み合わせることによって取得されるRRM測定結果を受信することを含み得る。
【０１８８】
ある実装方式においては、基地局が、UEによって少なくとも2つのRRM測定結果を組み合わせることによって取得されるRRM測定結果を受信することは、
基地局が、UEによって少なくとも2つのRRM測定結果において重み付け平均化を行うことによって取得されるRRM測定結果を受信することを含み得る。
【０１８９】
具体的には、図2aに示されている例は、説明するために使用される。実線によって表されたサブフレームは、第1のRRM測定手順に対応し、破線によって表されたサブフレームは、第2のRRM測定手順に対応していることが仮定される。第3のスモールセルは、常にオンであり、そのため、第1のRRM測定手順を実行するとき、UEは、第3のスモールセルの存在を発見し、第3のスモールセルにおいてRRM測定を行う。加えて、第2のRRM測定手順を実行するとき、UEはやはり、第3のスモールセルの存在を発見し、第3のスモールセルにおいてRRM測定を行う。干渉レベルは、種々の測定サブフレームにおいて異なる。たとえば、図2aにおいては、第1のRRM測定手順に対応するサブフレームにおいては、信号送信は、第1のスモールセルにおいて、または第2のスモールセルにおいてまったく行われず、そのため、第3のスモールセルにおけるDRS送信は、2つのセルから干渉をまったく受けない。しかしながら、第2のRRM測定手順に対応するサブフレームにおいては、第3のスモールセルにおける送信は、第1のスモールセルおよび第2のスモールセルから干渉を受ける。そのため、2つのRRM測定手順を使用することによって取得される測定結果は、異なる。
【０１９０】
この場合には、第3のスモールセルの測定結果に関して、基地局は、以下の3つの処理方法のうちのいずれか1つを使用することによって結果報告を行うようにUEに命令し得る。
【０１９１】
方式1.  UEに、2つの手順を使用することによって取得される第3のスモールセルの両方の測定結果を報告するように命令する。
【０１９２】
方式2.  UEに、基地局の命令に従って、第1のRRM測定手順を使用することによって取得される測定結果のみを報告するように命令する。
【０１９３】
方式3.  UEに、基地局の命令に従って、2つの手順を使用することによって取得される結果の組合せを報告するように命令する。たとえば、UEは、基地局に、2つのRRM測定結果の重み付け平均を報告し得る。たとえば、M=0.9M1+0.1M2が使用され、ここでは、Mは、最終的に報告される結果であり、M1は、第1のRRM測定手順を使用することによって取得される測定結果であり、M2は、第2のRRM測定手順を使用することによって取得される測定結果である。
【０１９４】
基地局は、UEが第3のスモールセルのRRM測定結果を報告する方式をあらかじめ構成しても、または報告するのにどの方式が使用されるべきであるかをリアルタイムにUEに命令してもよい。
【０１９５】
任意選択で、別の可能な実装方式においては、測定パラメータ情報は、測定され得るセルのリストを含み、
ステップ703は、
基地局が、測定され得るセルのリストに属するセルの、測定によって取得されるRRM測定結果の中の、あるRRM測定結果を受信することであって、UEが、そのRRM測定結果のみを報告する、受信することとすることができる。
【０１９６】
具体的な実装形態においては、基地局によってUEに送達されるRRM測定手順の構成情報は、測定され得るセルのリスト(NeighCellList)を含む。任意選択で、あらかじめ複数のRRM測定手順を構成後、基地局は、NeighCellList外のセルは、そのセルが発見される場合であっても測定されないように、またはNeighCellList外のセルが測定される場合であってもセルの測定結果は報告されないように、手順のうちの1つまたは複数をセットし得る。図2aの中の例が、なおも例として使用される。第1のスモールセル、第2のスモールセル、および第3のスモールセルは、第2のRRM測定手順(破線によって表されたサブフレーム)を使用することによって発見可能である。この実施形態における方法によれば、測定され得るセルのリストは、第1のスモールセルおよび第2のスモールセルにセットされ得、つまり、第1のスモールセルおよび第2のスモールセルのみが、ターゲットセルと定義される。そのため、第2のRRM測定手順に対応する測定においては、UEが第3のスモールセルを発見した場合であっても、測定は行われない。代替として、第3のスモールセルの測定結果は報告されないことが定義され得る。
【０１９７】
この実施形態においては、基地局は、互いに独立している少なくとも2つの無線資源管理RRM測定手順を1つのキャリアについて構成し、各RRM測定手順の構成情報が、測定時間領域情報のグループおよび対応する測定パラメータ情報を含み、基地局は、互いに独立している少なくとも2つのRRM測定手順の構成情報をUEに送信し、それにより、UEは、互いに独立している少なくとも2つの無線資源管理RRM測定手順を使用して、各キャリアにおいてRRM測定を行うようになり、次いで、基地局は、UEによって報告されるRRM測定結果を受信する。互いに独立している少なくとも2つRRM測定手順は、種々の隣接セルに関して構成され得、そのため、各RRM測定手順に対応する測定時間領域情報は、測定予定の隣接セルによって送信されるRRM測定参照信号の時間領域情報に一致する。そのため、RRM測定参照信号が連続的に送信されない隣接セルが、隣接セル発見および隣接セル測定の正確な結果を取得するようにするために測定可能である。
【０１９８】
図8は、本発明による隣接セル測定方法の第3の実施形態の相互作用流れ図である。この実施形態は、UEと基地局との間の相互作用を用いて実装される隣接セル測定方法について説明する。この実施形態におけるUEは、図1または図4に示されている実施形態におけるUEとすることができ、この実施形態における基地局は、図3または図5に示されている実施形態における基地局とすることができる。図8に示されているように、この実施形態の方法は、次を含み得る。
【０１９９】
ステップ801.  基地局は、隣接基地局によって送信される発見参照信号に従って各キャリアについて測定時間領域情報の少なくとも2つのグループを構成し、測定時間領域情報の各グループについて対応する測定パラメータ情報を構成する。
【０２００】
測定時間領域情報の各グループは、少なくとも1つの隣接基地局によって送信される発見参照信号の時間領域情報に一致する。
【０２０１】
具体的な実装形態においては、測定時間領域情報の少なくとも2つのグループは、
基地局によって各キャリアについて構成される測定サブフレームの少なくとも2つのセットであって、測定サブフレームの各セットが、測定時間領域情報のグループである、測定サブフレームの少なくとも2つのセット、または
基地局によって各キャリアについて構成される測定サブフレームのセットから分割される少なくとも2つのサブセットであって、各サブセットが、測定時間領域情報のグループである、少なくとも2つのサブセット、または
基地局によって各キャリアについて構成される少なくとも2つの測定ギャップであって、各測定ギャップが、測定時間領域情報のグループである、少なくとも2つの測定ギャップ、または
基地局によって測定ギャップと分割される少なくとも2つのサブギャップであって、各サブギャップが、測定時間領域情報のグループである、少なくとも2つのサブギャップを含み得る。
【０２０２】
具体的な実装形態プロセスでは、UEの第1の実施形態における測定時間領域情報の少なくとも2つのグループについての説明に参照がなされてよく、詳細は、本明細書においては説明されていない。
【０２０３】
さらには、測定パラメータ情報は、以下のパラメータ、すなわち、測定帯域幅、測定され得るセルのリスト、セルブラックリスト、イベントトリガ報告の閾値、報告間隔、報告測定基準、報告イベント駆動測定基準、報告すべきセルの最大数量、レイヤ3フィルタパラメータのセッティング、またはCRSアンテナポート1が存在するかどうか、のうちの少なくとも1つを含む。
【０２０４】
構成パラメータの詳細な説明では、UEの第1の実施形態における構成パラメータについての説明に参照がなされてよい。
【０２０５】
ステップ802.  基地局は、互いに独立している少なくとも2つのRRM測定手順の構成情報をUEに送信し、各RRM測定手順の構成情報は、測定時間領域情報のグループおよび対応する測定パラメータ情報を含む。
【０２０６】
ステップ803.  UEは、互いに独立している少なくとも2つの無線資源管理RRM測定手順を使用することによって各キャリアにおいてRRM測定を行う。
【０２０７】
ステップ804.  UEは、基地局にRRM測定結果を報告する。
【０２０８】
具体的な実装形態においては、ステップ804は、
UEが、基地局に少なくとも2つのRRM測定結果を別々に報告すること、または
UEが、少なくとも2つのRRM測定結果から1つのRRM測定結果を選択し、基地局にそのRRM測定結果を報告すること、または
UEが、基地局に少なくとも2つのRRM測定結果の組合せ、たとえば、重み付け平均を報告することを含み得る。
【０２０９】
任意選択で、可能な実装方式においては、測定パラメータ情報は、測定され得るセルのリストを含み、ステップ804は、UEが、測定され得るセルのリストに属するセルの、測定によって取得されるRRM測定結果の中の、あるRRM測定結果のみを基地局に報告することとすることができる。
【０２１０】
この実施形態においては、UEは、互いに独立している少なくとも2つのRRM測定手順の、基地局によって送信される構成情報を受信し、互いに独立している少なくとも2つのRRM測定手順を使用することによって、1つのキャリアにおいてRRM測定を行って少なくとも2つのRRM測定結果を取得し、基地局にそのRRM測定結果を報告する。互いに独立している少なくとも2つのRRM測定手順は、種々の隣接セルに関して構成され得、そのため、各RRM測定手順に対応する測定時間領域情報は、測定予定の隣接セルによって送信されるRRM測定参照信号の時間領域情報に一致する。そのため、RRM測定参照信号が連続的に送信されない隣接セルが、隣接セル発見および隣接セル測定の正確な結果を取得するようにするために測定可能である。
【０２１１】
方法実施形態のステップのすべてまたは一部が、関連のハードウェアに命令するプログラムによって実装され得ることを当業者は理解し得る。プログラムは、コンピュータ可読記憶媒体の中に記憶され得る。プログラムが動作するとき、方法の実施形態のステップが実行される。前述の記憶媒体は、ROM、RAM、磁気ディスク、または光ディスクなど、プログラムコードを記憶することができる任意の媒体を含む。
【０２１２】
最後に、前述の実施形態は、ただ単に本発明の技術的な解決策について説明するように意図されているにすぎず、本発明を限定するように意図されていないことに留意すべきである。本発明は、前述の実施形態を参照して詳細に説明されているが、当業者は、自らが、なおも本発明の諸実施形態の技術的な解決策の範囲から逸脱することなく、前述の諸実施形態において説明される技術的解決策に修正を行うこと、またはその一部のもしくはすべての技術的な特徴に等価な置換を行い得ることを理解すべきである。
【符号の説明】
【０２１３】
100  UE
101  受信モジュール
102  測定モジュール
103  送信モジュール
300  基地局
301  構成モジュール
302  送信モジュール
303  受信モジュール
401  受信機
402  プロセッサ
403  送信機
404  メモリ
405  バス
501  プロセッサ
502  送信機
503  受信機
504  メモリ
505  バス
【図１】
0006323732.tif 000002
【図２ａ】
0006323732.tif 000003
【図２ｂ】
0006323732.tif 000004
【図３】
0006323732.tif 000005
【図４】
0006323732.tif 000006
【図５】
0006323732.tif 000007
【図６】
0006323732.tif 000008
【図７】
0006323732.tif 000009
【図８】
0006323732.tif 000010